(57)【要約】  眼鏡フレームの形状を測定する眼鏡枠形状測定装置であって、光源を有し、眼鏡フレームのリムの溝に向けて光源から測定光束を照射する投光光学系と、検出器を有し、投光光学系によって眼鏡フレームのリムの溝に向けて照射され、眼鏡フレームのリムの溝によって反射された測定光束の反射光束を検出器によって受光する受光光学系と、検出器によって受光された反射光束に基づいて、眼鏡フレームのリムの溝の断面形状を取得する取得手段と、取得手段によって取得された断面形状におけるリムの欠損部分を補間する補間手段と、を備える。
2019049716.tif 000002
【特許請求の範囲】
【請求項１】
眼鏡フレームの形状を測定する眼鏡枠形状測定装置であって、
光源を有し、眼鏡フレームのリムの溝に向けて前記光源から測定光束を照射する投光光学系と、
検出器を有し、前記投光光学系によって前記眼鏡フレームの前記リムの溝に向けて照射され、前記眼鏡フレームの前記リムの溝によって反射された前記測定光束の反射光束を前記検出器によって受光する受光光学系と、
前記検出器によって受光された前記反射光束に基づいて、前記眼鏡フレームの前記リムの溝の断面形状を取得する取得手段と、
前記取得手段によって取得された前記断面形状における前記リムの欠損部分を補間する補間手段と、
を備えることを特徴とする眼鏡枠形状測定装置。
【請求項２】
請求項１の眼鏡枠形状測定装置において、
前記取得手段は、前記断面形状とは異なる断面形状を取得し、
前記補間手段は、前記断面形状とは前記異なる断面形状に基づいて、前記断面形状における前記リムの欠損部分を補間することを特徴とする眼鏡枠形状測定装置。
【請求項３】
請求項２の眼鏡枠形状測定装置において、
前記補間手段は、前記断面形状に対して、前記異なる断面形状を合成処理することによって、前記断面形状における前記リムの欠損部分を補間することを特徴とする眼鏡枠形状測定装置。
【請求項４】
請求項２又は３の眼鏡枠形状測定装置において、
前記異なる断面形状は、前記断面形状を取得した測定位置と同一の測定位置において、前記断面形状を取得した際の撮影条件とは異なる撮影条件にて取得された断面形状であることを特徴とする眼鏡枠形状測定装置。
【請求項５】
請求項１の眼鏡枠形状測定装置において、
前記補間手段は、前記断面形状における前記リムの欠損部分の近傍の断面形状に基づいて、前記断面形状における前記リムの欠損部分を補間することを特徴とする眼鏡枠形状測定装置。
【請求項６】
請求項１〜５のいずれかの眼鏡枠形状測定装置において、
前記断面形状を解析処理することによって、前記断面形状における欠損部分が存在する否かを判定する欠損部分判定手段を備え、
前記補間手段は、前記欠損部分判定手段による判定結果に基づいて、前記断面形状における前記リムの欠損部分を補間することを特徴とする眼鏡枠形状測定装置。
【請求項７】
請求項１〜６のいずれかの眼鏡枠形状測定装置において、
前記補間手段は、前記断面形状における前記リムの溝の欠損部分を少なくとも補間することを特徴とする眼鏡枠形状測定装置。
【請求項８】
光源を有し、眼鏡フレームのリムの溝に向けて前記光源から測定光束を照射する投光光学系と、
検出器を有し、前記投光光学系によって前記眼鏡フレームの前記リムの溝に向けて照射され、前記眼鏡フレームの前記リムの溝によって反射された前記測定光束の反射光束を前記検出器によって受光する受光光学系と、
前記検出器によって受光された前記反射光束に基づいて、前記眼鏡フレームの前記リムの溝の断面形状を取得する取得手段と、
を備え、
眼鏡フレームの形状を測定する眼鏡枠形状測定装置において実行される眼鏡枠形状測定プログラムであって、
前記眼鏡枠形状測定装置のプロセッサによって実行されることで、
前記取得手段によって取得された前記断面形状における前記リムの欠損部分を補間する補間ステップを前記眼鏡枠形状測定装置に実行させることを特徴とする眼鏡枠形状測定プログラム。
【発明の詳細な説明】
【技術分野】
【０００１】
本開示は、眼鏡フレームの形状を得るための眼鏡枠形状測定装置及び眼鏡枠形状測定装置を制御する眼鏡枠形状測定プログラムに関する。
【背景技術】
【０００２】
眼鏡フレームのリムに測定子を挿入し、測定子をリムに押し当てて移動させることで、リムの輪郭をトレースし、リムの形状を測定する眼鏡枠形状測定装置が知られている（例えば、特許文献１参照）。この眼鏡枠形状測定装置で得られたリムの測定結果（トレースデータ）に基づいて、眼鏡レンズをリムに嵌めるための形状（目標形状）が得られる。そして、形状に基づいて眼鏡レンズの輪郭形状が決定され、眼鏡レンズ加工装置によってレンズの周縁が加工される。
【先行技術文献】
【特許文献】
【０００３】
【特許文献１】特開２０１５−００７５３６号公報
【発明の概要】
【０００４】
ところで、眼鏡フレームに加工後のレンズを良好に枠入れするためには、リムの形状と加工後のレンズの輪郭形状が近いほどより好ましいと考えられている。しかしながら、測定子を用いてのリム形状の測定では、測定子が押し当てられた位置での測定(例えば、リムの底の部分の測定)を行うことは容易であるものの、リムの溝の断面形状を得ることは困難であった。
【０００５】
このため、発明者らは、眼鏡フレームのリムの溝に向けて測定光を照射し、眼鏡フレームのリムの溝によって反射された測定光の反射光を受光し、反射光に基づいて、眼鏡フレームのリムの溝の断面形状を取得する構成を備える眼鏡枠形状測定装置について検討した。しかしながら、このような眼鏡枠形状測定装置を用いる場合に、眼鏡フレームのタイプ、眼鏡フレームに付着したごみ等の影響によっては、リムの溝から反射光束を良好に受光することができず、リムの溝の断面形状を取得することが困難となる場合があることがわかった。
【０００６】
本開示は、上記従来技術に鑑み、種々のタイプの眼鏡フレームにおけるリムの断面形状を良好に取得することができる眼鏡枠形状測定装置及び眼鏡枠形状測定プログラムを提供することを技術課題とする。
【０００７】
上記課題を解決するために、本開示は以下のような構成を備えることを特徴とする。
【０００８】
（１）  本開示の第１態様に係る眼鏡枠形状測定装置は、眼鏡フレームの形状を測定する眼鏡枠形状測定装置であって、光源を有し、眼鏡フレームのリムの溝に向けて前記光源から測定光束を照射する投光光学系と、検出器を有し、前記投光光学系によって前記眼鏡フレームの前記リムの溝に向けて照射され、前記眼鏡フレームの前記リムの溝によって反射された前記測定光束の反射光束を前記検出器によって受光する受光光学系と、前記検出器によって受光された前記反射光束に基づいて、前記眼鏡フレームの前記リムの溝の断面形状を取得する取得手段と、前記取得手段によって取得された前記断面形状における前記リムの欠損部分を補間する補間手段と、を備えることを特徴とする。
（２）  本開示に係る第２様態に係る眼鏡枠形状測定プログラムは、光源を有し、眼鏡フレームのリムの溝に向けて前記光源から測定光束を照射する投光光学系と、検出器を有し、前記投光光学系によって前記眼鏡フレームの前記リムの溝に向けて照射され、前記眼鏡フレームの前記リムの溝によって反射された前記測定光束の反射光束を前記検出器によって受光する受光光学系と、前記検出器によって受光された前記反射光束に基づいて、前記眼鏡フレームの前記リムの溝の断面形状を取得する取得手段と、を備え、眼鏡フレームの形状を測定する眼鏡枠形状測定装置において実行される眼鏡枠形状測定プログラムであって、前記眼鏡枠形状測定装置のプロセッサによって実行されることで、前記取得手段によって取得された前記断面形状における前記リムの欠損部分を補間する補間ステップを前記眼鏡枠形状測定装置に実行させることを特徴とする。
【図面の簡単な説明】
【０００９】
【図１】眼鏡枠形状測定装置の外観略図である。
【図２】眼鏡フレームが保持された状態のフレーム保持ユニットの上面図である。
【図３】移動ユニットを上方から見た斜視図を示している。
【図４】移動ユニットの下方から見た斜視図を示している。
【図５】Ｚ移動ユニットとＹ移動ユニットの上面斜視図を示している。
【図６】回転ユニットについて説明する図である。
【図７】眼鏡フレーム測定光学系について示す概略構成図である。
【図８】眼鏡枠形状測定装置に関する制御ブロック図である。
【図９Ａ】回転ユニットを制御して、異なる動径角にてリムの断面形状を取得する場合の一例について説明する図である。
【図９Ｂ】異なる動径角にてリムの断面形状を取得する場合の一例について説明する図である。
【図１０】眼鏡フレームのリムの溝に測定光束が照射されるように保持ユニットを移動させる前の受光結果を示す図である。
【図１１】眼鏡フレームのリムの溝に測定光束が照射されるように保持ユニットを移動させた後の受光結果を示す図である。
【図１２】断面画像に対する輝度分布の取得について説明する図である。
【図１３Ａ】断面画像に欠損部分が存在していない状態の輝度分布を示す例である。
【図１３Ｂ】断面画像に欠損部分が存在している状態の輝度分布を示す例である。
【図１４】欠損部分の補間について説明する図である。
【図１５】リムの溝の断面画像から取得されるパラメータについて説明する図である。
【発明を実施するための形態】
【００１０】
以下、本実施形態を図面に基づいて説明する。図１〜図１５は本実施形態に係る眼鏡枠形状測定装置の構成について説明する図である。なお、本実施形態においては、眼鏡枠形状測定装置１の奥行き方向（眼鏡が配置された際の眼鏡フレームの上下方向）をＹ方向、奥行き方向に垂直（眼鏡が配置された際の眼鏡フレームの左右方向）な平面上の水平方向をＸ方向、鉛直方向（眼鏡が配置された際の眼鏡フレームの前後方向）をＺ方向として説明する。なお、以下の＜＞にて分類された項目は、独立又は関連して利用されうる。
【００１１】
なお、本開示においては、本実施形態に記載した装置に限定されない。例えば、下記実施形態の機能を行う端末制御ソフトウェア（プログラム）をネットワーク又は各種記憶媒体等を介して、システムあるいは装置に供給する。そして、システムあるいは装置の制御装置（例えば、ＣＰＵ等）がプログラムを読み出し、実行することも可能である。
【００１２】
なお、本実施形態における眼鏡枠形状測定装置１には、眼鏡フレームＦのリム部分が下方向、眼鏡フレームＦのテンプル部分が上方向とした状態で配置される。すなわち、眼鏡枠形状測定装置１に眼鏡フレームＦが配置された場合に、眼鏡フレームＦの左右リムＦＬ，ＦＲが下方向、眼鏡フレームＦの左右のテンプルＦＴＬ，ＦＴＲが上方向となる。もちろん、本実施形態の眼鏡枠形状測定装置１においては、眼鏡フレームＦのリム部分が下方向、眼鏡フレームＦのテンプル部分が上方向とした状態で配置される構成を例に挙げて説明するがこれに限定されない。例えば、眼鏡フレームＦのリム部分が上方向、眼鏡フレームＦのテンプル部分が下方向とした状態で配置される構成であってもよい。また、例えば、眼鏡枠形状測定装置１に眼鏡フレームＦが配置された場合に、眼鏡フレームＦの左右リムＦＬ，ＦＲの上端が下方向、眼鏡フレームＦの左右リムＦＬ，ＦＲの下端が上方向となるように配置される構成であってもよい。また、例えば、眼鏡枠形状測定装置１に眼鏡フレームＦが配置された場合に、眼鏡フレームＦの左右リムＦＬ，ＦＲの上端が上方向、眼鏡フレームＦの左右リムＦＬ，ＦＲの下端が下方向となるように配置される構成であってもよい。
【００１３】
＜概要＞
本開示の実施形態に係る眼鏡枠形状測定装置（例えば、眼鏡枠形状測定装置１）の概要について説明する。例えば、本実施形態に関わる眼鏡枠形状測定装置は、眼鏡フレームの形状を測定する。例えば、眼鏡枠形状測定装置は、投光光学系（例えば、投光光学系３０ａ）を備える。例えば、眼鏡枠形状測定装置は、受光光学系（例えば、受光光学系３０ｂ）を備える。例えば、眼鏡枠形状測定装置は、取得手段（例えば、制御部５０）を備える。
【００１４】
例えば、投光光学系は、光源（例えば、光源３１）を有する。例えば、投光光学系は、眼鏡フレームのリムの溝に向けて光源から測定光束を照射する。なお、例えば、光源は、少なくとも１つ以上の光源が用いられてもよい。例えば、１つの光源が用いられてもよい。また、例えば、複数の光源が用いられてもよい。
【００１５】
例えば、受光光学系は、検出器（例えば、検出器３７）を有する。例えば、受光光学系は、投光光学系によって眼鏡フレームのリムの溝に向けて照射され、眼鏡フレームのリムの溝によって反射された測定光束の反射光束を検出器によって受光する。なお、例えば、検出器は、少なくとも１つ以上の検出器が用いられてもよい。例えば、１つの検出器が用いられてもよい。また、例えば、複数の検出器が用いられてもよい。
【００１６】
例えば、取得手段は、眼鏡フレームのリムの溝によって反射された測定光束の反射光束を処理して、検出器によって受光された測定光束の反射光束に基づいて、眼鏡フレームのリムの溝の断面形状を取得する。
【００１７】
例えば、本実施形態において、眼鏡枠形状測定装置は、眼鏡フレームのリムに向けて光源から測定光束を照射する投光光学系と、投光光学系によって眼鏡フレームの前記リムに向けて照射され、眼鏡フレームのリムによって反射された測定光束の反射光束を検出器によって受光する受光光学系と、反射光束を処理して、眼鏡フレームのリムの断面形状を取得する取得手段と、を備える。これによって、例えば、眼鏡フレームのリムの断面形状を容易に精度よく取得することができる。また、例えば、測定光束による測定であるため、迅速に測定を行うことができる。
【００１８】
例えば、本実施形態において、眼鏡枠形状測定装置は、取得手段によって取得された断面形状におけるリムの欠損部分を補間する補間手段（例えば、制御部５０）を備える。これによって、例えば、眼鏡フレームのタイプ、眼鏡フレームに付着したごみ等によって、リムの溝から反射光束を良好に受光することが困難であり、取得した断面形状に欠損部分が生じていた場合であっても、欠損部分を補間することで、良好な断面形状を取得することができる。すなわち、例えば、種々のタイプの眼鏡フレームにおけるリムの断面形状を良好に取得することができる。
【００１９】
＜投光光学系＞
例えば、投光光学系は、光学部材を有してもよい。この場合、例えば、光源から出射された測定光束が各光学部材を介して眼鏡フレームのリムの溝に向けて照射されるようにしてもよい。例えば、光学部材としては、レンズ、ミラー、絞り、等の少なくともいずれかを用いてもよい。例えば、絞りを用いることによって、焦点深度を深くすることができる。もちろん、光学部材としては、上記光学部材に限定されず、異なる光学部材が用いられてもよい。
【００２０】
なお、例えば、投光光学系は、光源から出射された測定光束が眼鏡フレームのリムの溝に向けて照射される構成であればよい。例えば、少なくとも光源を有する構成であってもよい。また、例えば、投光光学系としては、光学部材とは異なる部材を経由して、光源から出射された測定光束が眼鏡フレームのリムの溝に向けて照射される構成であってもよい。
【００２１】
例えば、投光光学系によって、眼鏡フレームのリムの溝に向けて照射される測定光束は、スポット状の測定光束を照射してもよい。また、例えば、投光光学系によって、眼鏡フレームのリムの溝に向けて照射される測定光束は、幅を有する測定光束（例えば、スリット状の測定光束）であってもよい。この場合、例えば、投光光学系は、光源からの測定光束を眼鏡フレームのリムの溝に向けて照射し、リムの溝上に光切断面を形成させてもよい。例えば、受光光学系は、光切断面のリムの溝での反射（例えば、散乱、正反射等）により取得されるリムの溝の反射光束（例えば、散乱光、正反射光等）を検出器によって、受光するようにしてもよい。
【００２２】
例えば、幅を有する測定光束を照射する場合、スリット状の光束を出射する光源を用いてもよい。例えば、点光源を用いてもよい。この場合、例えば、点光源を複数並べて配置することによって、幅を有する測定光束を照射するようにしてもよい。また、例えば、点光源から照射されたスポット状の光束を走査することによって、幅を有する測定光束を照射するようにしてもよい。また、例えば、点光源から照射されたスポット状の測定光束を光学部材によって拡散させることによって、幅を有する測定光束を照射するようにしてもよい。もちろん、例えば、光源としては、上記光源とは異なる種々の種類の光源を用いて、幅を有する測定光束を照射するようにしてもよい。
【００２３】
＜受光光学系＞
例えば、受光光学系は、光学部材を有してもよい。この場合、例えば、眼鏡フレームのリムの溝によって反射された測定光束の反射光束が各光学部材を介して、検出器に受光されるようにしてもよい。例えば、光学部材としては、レンズ、ミラー、絞り、等の少なくともいずれかを用いてもよい。もちろん、光学部材としては、上記光学部材に限定されず、異なる光学部材が用いられてもよい。
【００２４】
なお、例えば、受光光学系は、眼鏡フレームのリムの溝によって反射された測定光束の反射光束が検出器に受光される構成であればよい。例えば、少なくとも検出器を有する構成であってもよい。また、例えば、受光光学系としては、光学部材とは異なる部材を経由して、眼鏡フレームのリムの溝によって反射された測定光束の反射光束が検出器に受光される構成であってもよい。
【００２５】
＜取得手段＞
例えば、取得手段は、眼鏡フレームのリムの溝によって反射された測定光束の反射光束を処理して、眼鏡フレームのリムの溝の断面形状を取得する。例えば、取得手段は、検出器における反射光束の受光位置から断面形状を取得してもよい。例えば、断面形状は、画像（画像データ）であってもよい。すなわち、断面形状は、断面画像であってもよい。また、例えば、断面形状は、信号（信号データ）であってもよい。すなわち、断面形状は、断面形状の信号データであってもよい。
【００２６】
例えば、断面形状としては、二次元断面形状、三次元断面形状等が挙げられる。例えば、二次元断面形状は、１つの動径角におけるリムの溝に測定光束を照射し、その反射光束を受光することによって取得される断面形状である。例えば、本実施形態において、二次元断面形状は、リムの溝を眼鏡フレームの動径方向（本実施形態においては、ＸＹ方向）に垂直な方向（本実施形態においては、Ｚ方向）に切断した面の形状である。なお、例えば、二次元断面形状は、測定光束を横断位置（本実施形態においては、Ｚ方向）に沿って走査させることによって取得してもよい。また、例えば、三次元断面形状は、二次元断面形状を各動径角毎に取得することによって、取得される断面形状である。例えば、三次元断面形状は、二次元断面形状を取得するための測定光束を眼鏡フレームの動径平面方向（本実施形態においては、ＸＹ平面方向）で走査することによって取得するようにしてもよい。
【００２７】
なお、例えば、断面形状の取得した際に、断面形状の一部が欠損している場合に、欠損している位置の周辺の位置（例えば、隣接する位置）における反射光束の受光結果から、欠損部分を補間するようにしてもよい。また、例えば、断面形状の取得した際に、断面形状の一部が欠損している場合に、断面形状を近似することによって、欠損部分を補間するようにしてもよい。また、例えば、断面形状の取得した際に、断面形状の一部が欠損している場合に、欠損部分が取得されるように断面形状の再取得を行うようにしてもよい。
【００２８】
例えば、二次断面形状は、眼鏡フレームのリムの全周（各動径角においてリムが形成されているすべての部分）の内、少なくとも１つの箇所（1つの動径角の位置）でのリムの溝の二次元断面形状が取得されるようにしてもよい。この場合、例えば、二次元断面形状は、眼鏡フレームのリムの全周において、取得されるようにしてもよい。また、この場合、例えば、二次元断面形状は、眼鏡フレームのリムの全周において、複数の位置（例えば、眼鏡フレームの左端、右端、上端、下端等）で取得されるようにしてもよい。また、この場合、例えば、二次元断面形状は、眼鏡フレームのリムの全周において、1つの動径角の位置で取得されるようにしてもよい。
【００２９】
例えば、三次元断面形状を取得する場合、眼鏡フレームのリムの全周（各動径角においてリムが形成されているすべての部分）の内、少なくとも一部の領域でのリムの溝の三次元断面形状が取得されるようにしてもよい。この場合、例えば、三次元断面形状は、眼鏡フレームのリムの全周において、取得されるようにしてもよい。また、この場合、例えば、三次元断面形状は、眼鏡フレームのリムの全周において、複数の領域（例えば、眼鏡フレームの左端領域、右端領域、上端領域、下端領域等）で取得されるようにしてもよい。また、この場合、例えば、三次元断面形状は、眼鏡フレームのリムの全周において、一部分の領域で取得されるようにしてもよい。なお、眼鏡フレームのリムの全周に対して三次元断面形状を取得していない場合で、眼鏡フレームのリムの全周の三次元断面形状を取得したい場合には、二次元断面形状を取得した部分の二次元断面形状（三次元断面形状）に基づいて、補間をすることによって、眼鏡フレームのリムの全周の三次元断面形状を取得してもよい。
【００３０】
＜第１変更手段及び第１制御手段＞
例えば、眼鏡枠形状測定装置は、第１変更手段（例えば、移動ユニット２１０、回転ユニット２６０）を備えてもよい。例えば、第１変更手段は、眼鏡フレームのリムの溝に対する測定光束の照射位置を変更する。また、例えば、眼鏡枠形状測定装置は、第１変更手段を制御する第１制御手段（例えば、制御部５０）を備えてもよい。
【００３１】
例えば、眼鏡枠形状測定装置は、眼鏡フレームのリムの溝に対する測定光束の照射位置を変更する第１変更手段と、第１変更手段を制御する第１制御手段と、を備える。これによって、眼鏡フレームにおける任意のリムの溝の位置へ測定光束を照射することが可能となり、任意の位置におけるリムの溝の断面形状を取得することができる。
【００３２】
例えば、第１変更手段は、測定光束の照射位置と眼鏡フレームのリムの溝との相対位置を変更する構成であってもよい。例えば、第１変更手段は、測定光束の照射位置と、眼鏡フレームのリムの溝の位置と、の少なくとも一方の位置を変更する構成であってもよい。この場合、例えば、第１変更手段は、測定光束の照射位置に対して、眼鏡フレームのリムの溝の位置を変更する構成であってもよい。すなわち、第１変更手段は、測定光束の照射位置に対して、眼鏡フレームの位置を変更する構成であってもよい。また、この場合、例えば、第１変更手段は、眼鏡フレームのリムの溝の位置に対して、測定光束の照射位置を変更する構成であってもよい。また、この場合、例えば、第１変更手段は、眼鏡フレームのリムの溝の位置と、測定光束の照射位置と、の双方を変更する構成であってもよい。
【００３３】
例えば、第１変更手段が測定光束の照射位置と眼鏡フレームのリムの溝との相対位置を変更する構成として、投光光学系と眼鏡フレームのリムの溝との相対位置を変更する構成であってもよい。例えば、投光光学系の位置とは、投光光学系の光軸（例えば、光軸Ｌ１）の位置であってもよい。すなわち、例えば、第１変更手段が投光光学系の光軸の位置と眼鏡フレームのリムの溝との相対位置を変更することで、測定光束の照射位置と眼鏡フレームのリムの溝との相対位置を変更する構成であってもよい。
【００３４】
例えば、投光光学系の位置（例えば、投光光学系の光軸の位置）と眼鏡フレームのリムの溝の位置との相対位置を変更する構成としては、投光光学系の位置と眼鏡フレームのリムの溝の位置との少なくとも一方の位置を変更する構成であってもよい。この場合、例えば、投光光学系の位置と眼鏡フレームのリムの溝の位置との少なくとも一方の位置を変更する構成としては、投光光学系の位置に対して、眼鏡フレームのリムの溝の位置を変更する構成であってもよい。また、この場合、例えば、投光光学系の位置と眼鏡フレームのリムの溝の位置との少なくとも一方の位置を変更する構成としては、眼鏡フレームのリムの溝の位置に対して、投光光学系の位置を変更する構成であってもよい。また、この場合、例えば、投光光学系の位置と眼鏡フレームのリムの溝の位置との少なくとも一方の位置を変更する構成としては、投光光学系の位置と眼鏡フレームのリムの溝の位置との双方の位置を変更する構成であってもよい。
【００３５】
なお、例えば、投光光学系の位置を変更する構成としては、投光光学系に含まれる少なくともいずれかの部材（例えば、光源、光学部材、その他部材等）の位置を変更する構成であってもよい。すなわち、例えば、第１変更手段は、投光光学系の少なくとも一部（一部の部材）の位置を変更させることで、眼鏡フレームのリムの溝に対する投光光学系の位置を変更する構成であってもよい。この場合、例えば、第１制御手段は、第１変更手段を制御することによって、投光光学系の少なくとも一部の位置を変更させ、眼鏡フレームのリムの溝に対する測定光束の照射位置を変更するようにしてもよい。
【００３６】
例えば、眼鏡枠形状測定装置は、第１変更手段が投光光学系の少なくとも一部を移動させる第１変更手段であって、第１制御手段は、第１変更手段を制御することによって、眼鏡フレームのリムの溝に対して投光光学系の少なくとも一部を移動させ、眼鏡フレームのリムの溝に対する測定光束の照射位置を変更する。これによって、眼鏡フレームにおける任意のリムの溝の位置へ測定光束を照射することが可能となり、任意の位置におけるリムの溝の断面形状を取得することができる。
【００３７】
例えば、投光光学系の少なくとも一部の位置を変更させる構成としては、駆動源（例えば、モータ）を有し、投光光学系の少なくとも一部の位置をＸ方向に移動させるＸ方向駆動手段であってもよい。例えば、投光光学系の少なくとも一部の位置を変更させる構成としては、駆動源（例えば、モータ）を有し、投光光学系の少なくとも一部の位置をＹ方向に移動させるＹ方向駆動手段であってもよい。例えば、投光光学系の少なくとも一部の位置を変更させる構成としては、駆動源（例えば、モータ）を有し、投光光学系の少なくとも一部の位置をＺ方向に移動させるＺ方向駆動手段であってもよい。例えば、投光光学系の少なくとも一部の位置を変更させる構成としては、駆動源（例えば、モータ）を有し、投光光学系の少なくとも一部の位置を回転させる回転駆動手段（例えば、回転ユニット２６０）であってもよい。また、例えば、投光光学系の少なくとも一部の位置を変更させる構成としては、Ｘ方向駆動手段、Ｙ方向駆動手段、Ｚ方向駆動手段、回転駆動手段、の少なくともいずれかであってもよい。もちろん、投光光学系の少なくとも一部の位置を変更させる構成としては、上記駆動手段に限定されず、投光光学系の少なくとも一部の位置を上記方向とは異なる方向に駆動手段が用いられる構成であってもよい。
【００３８】
また、例えば、投光光学系の少なくとも一部の位置を変更させる構成としては、光スキャナを有し、光スキャナを走査する走査手段であってもよい。この場合、例えば、光スキャナの角度が変更されることによって、測定光束の照射位置が変更されるようにしてもよい。すなわち、例えば、光スキャナの位置が変更されることによって、測定光束の照射位置が変更されるようにしてもよい。
【００３９】
例えば、眼鏡フレームのリムの溝の位置を変更させる構成としては、駆動源（例えば、モータ）を有し、眼鏡フレームをＸ方向に移動させるＸ方向駆動手段であってもよい。また、例えば、眼鏡フレームのリムの溝の位置を変更させる構成としては、駆動源（例えば、モータ）を有し、眼鏡フレームをＹ方向に移動させるＹ方向駆動手段であってもよい。また、例えば、眼鏡フレームのリムの溝の位置を変更させる構成としては、駆動源（例えば、モータ）を有し、眼鏡フレームをＺ方向に移動させるＺ方向駆動手段であってもよい。また、例えば、眼鏡フレームのリムの溝の位置を変更させる構成としては、駆動源（例えば、モータ）を有し、眼鏡フレームを回転させる回転駆動手段であってもよい。また、例えば、眼鏡フレームのリムの溝の位置を変更させる構成としては、Ｘ方向駆動手段、Ｙ方向駆動手段、Ｚ方向駆動手段、回転駆動手段、の少なくともいずれかであってもよい。もちろん、眼鏡フレームのリムの溝の位置を変更させる構成としては、上記駆動手段に限定されず、眼鏡フレームのリムの溝の位置を上記方向とは異なる方向に駆動手段が用いられる構成であってもよい。
【００４０】
＜第２変更手段及び第２制御手段＞
例えば、眼鏡枠形状測定装置は、第２変更手段（例えば、移動ユニット２１０、回転ユニット２６０）を備えてもよい。例えば、第２変更手段は、受光光学系による反射光束の受光位置を変更する。例えば、眼鏡枠形状測定装置は、第２変更手段を制御する第２制御手段（例えば、制御部５０）を備えてもよい。
【００４１】
例えば、本実施形態において、眼鏡枠形状測定装置は、受光光学系による反射光束の受光位置を変更する第２変更手段と、第２変更手段を制御する第２制御手段と、を備える。これによって、リムの溝の断面形状を良好に取得することができる位置に受光位置を変更することができ、眼鏡フレームのリムの断面形状をより精度よく取得することができる。
【００４２】
例えば、第２変更手段は、受光光学系の位置と眼鏡フレームのリムの溝との相対位置を変更することで、受光光学系による反射光束の受光位置を変更する構成であってもよい。例えば、受光光学系の位置とは、受光光学系の光軸（例えば、光軸Ｌ２）の位置であってもよい。すなわち、例えば、第２変更手段が受光光学系の光軸の位置と眼鏡フレームのリムの溝との相対位置を変更することで、測定光束の照射位置と眼鏡フレームのリムの溝との相対位置を変更する構成であってもよい。
【００４３】
例えば、第２変更手段は、受光光学系の位置と、眼鏡フレームのリムの溝の位置と、の少なくとも一方の位置を変更する構成であってもよい。この場合、例えば、第２変更手段は、受光光学系の位置に対して、眼鏡フレームのリムの溝の位置を変更する構成であってもよい。すなわち、第２変更手段は、受光光学系の位置に対して、眼鏡フレームの位置を変更する構成であってもよい。また、この場合、例えば、第２変更手段は、眼鏡フレームのリムの溝の位置に対して、受光光学系の位置を変更する構成であってもよい。また、この場合、例えば、第２変更手段は、眼鏡フレームのリムの溝の位置と、受光光学系の位置と、の双方を変更する構成であってもよい。
【００４４】
なお、例えば、受光光学系の位置を変更する構成としては、受光光学系に含まれる少なくともいずれかの部材（例えば、検出器、光学部材、その他部材等）の位置を変更する構成であってもよい。すなわち、例えば、第２変更手段は、受光光学系の少なくとも一部（一部の部材）の位置を変更させることで、眼鏡フレームのリムの溝に対する受光光学系の位置を変更する構成であってもよい。この場合、例えば、第２制御手段は、第２変更手段を制御することによって、受光光学系の少なくとも一部の位置を変更させ、受光光学系による反射光束の受光位置を変更するようにしてもよい。
【００４５】
例えば、受光光学系の少なくとも一部の位置を変更させる構成としては、駆動源（例えば、モータ）を有し、受光光学系の少なくとも一部の位置をＸ方向に移動させるＸ方向駆動手段であってもよい。例えば、受光光学系の少なくとも一部の位置を変更させる構成としては、駆動源（例えば、モータ）を有し、受光光学系の少なくとも一部の位置をＹ方向に移動させるＹ方向駆動手段であってもよい。例えば、受光光学系の少なくとも一部の位置を変更させる構成としては、駆動源（例えば、モータ）を有し、受光光学系の少なくとも一部の位置をＺ方向に移動させるＺ方向駆動手段であってもよい。例えば、受光光学系の少なくとも一部の位置を変更させる構成としては、駆動源（例えば、モータ）を有し、受光光学系の少なくとも一部の位置を回転させる回転駆動手段であってもよい。また、例えば、受光光学系の少なくとも一部の位置を変更させる構成としては、Ｘ方向駆動手段、Ｙ方向駆動手段、Ｚ方向駆動手段、回転駆動手段、の少なくともいずれかであってもよい。もちろん、受光光学系の少なくとも一部の位置を変更させる構成としては、上記駆動手段に限定されず、受光光学系の少なくとも一部の位置を上記方向とは異なる方向に駆動手段が用いられる構成であってもよい。
【００４６】
また、例えば、受光光学系の少なくとも一部の位置を変更させる構成としては、光スキャナを有し、光スキャナを走査する走査手段であってもよい。この場合、例えば、光スキャナの角度が変更されることによって、受光光学系による反射光束の受光位置を変更するようにしてもよい。すなわち、例えば、光スキャナの位置が変更されることによって、受光光学系による反射光束の受光位置を変更するようにしてもよい。
【００４７】
例えば、眼鏡フレームのリムの溝の位置を変更させる構成としては、上記で記載した＜第１変更手段及び第１制御手段＞の構成と同様の構成を用いることができる。
【００４８】
なお、例えば、第１変更手段と第２変更手段の制御は、それぞれ異なるタイミングで制御されるようにしてもよい。また、例えば、第１変更手段と第２変更手段の制御は、一体的に制御されるようにしてもよい。なお、例えば、第１変更手段の構成と第２変更手段の構成とは、少なくとも一部の部材が兼用されてもよい。
【００４９】
＜補間手段＞
例えば、本実施形態において、眼鏡枠形状測定装置は、取得手段によって取得された断面形状におけるリムの欠損部分を補間する補間手段を備える。
【００５０】
例えば、補間手段は、リムのいずれかの部位の欠損部分を補間するようにしてもよい。例えば、リムのいずれかの部位は、リムの肩と、リムの溝と、リムの外部表面部分（リムの外形部）、リムのリブの少なくともいずれかであってもよい。なお、例えば、リムの肩とは、リムの前面の肩とリムの後面の肩との少なくともいずれかであってもよい。例えば、リムの溝とは、リムの溝の斜面とリムの溝の底との少なくともいずれかであってもよい。なお、例えば、リムの溝の斜面とは、リムの溝の前斜面とリムの溝の後斜面とのいずれかであってもよい。
【００５１】
なお、例えば、少なくともリムの溝の欠損部分を補間することがより好ましい。この場合、例えば、補間手段は、断面形状におけるリムの溝の欠損部分を少なくとも補間するようにしてもよい。例えば、断面形状において、リムの溝部分における断面形状をより確実に取得することができ、良好な断面形状を取得することができる。特に、リムの溝部分の断面形状を良好に取得することがより好ましいため、有用となる。
【００５２】
例えば、補間手段は、操作手段からの操作信号に基づいて、断面形状を補間するようにしてもよい。この場合、例えば、検者によって、取得された断面形状に基づいて、操作手段が操作され、操作手段の操作によって操作信号が出力される。例えば、補間手段は、出力された操作信号に基づいて、断面形状を補間するようにしてもよい。一例として、例えば、検者が操作手段を操作して、欠損部分が選択し、欠損部分を補間（例えば、線を引く等）するようにしてもよい。なお、例えば、検者は、欠損部分に関する判定情報に基づいて、補間のための操作を行ってもよい。例えば、判定情報は、後述する判定結果（欠損部分の存在の有無を示す結果）であってもよい。また、例えば、判定情報は、判定結果に基づくガイド情報（例えば、欠損部分が存在していることを示す警告情報、欠損部分の確認を促す情報、欠損部分の補間を促す情報、欠損部分の補間の仕方を示す情報等）であってもよい。もちろん、判定情報としては、上記構成に限定されず、欠損部分の存在の有無を識別できる情報あればよい。
【００５３】
例えば、補間手段は、予め設定されたリム情報に基づいて、補間を行うようにしてもよい。例えば、補間手段は、予め設定されたリム情報から欠損部分の形状を推定して補間するようにしてもよい。この場合、例えば、補間手段は、予め設定されたリム情報と欠損部分の形状が類似するように、補間を行うようにしてもよい。この場合、例えば、補間手段は、予め設定されたリム情報から欠損部分の形状を推定して補間するようにしてもよい。例えば、予め設定されたリム情報とは、測定を行うリムの少なくとも一部に関する情報であればよい。この場合、例えば、予め設定されたリム情報とは、測定を行う眼鏡フレームの設計データ（リムの構造を示すデータ）であってもよい。また、例えば、予め設定されたリム情報とは、溝の形状データ（例えば、溝部分の形状が三角形、四角形、円形等の少なくともいずれかを示す形状データ等）であってもよい。なお、例えば、リム情報は、眼鏡枠形状測定装置がリム情報を他の装置から受信することによって、取得してもよい。また、例えば、リム情報は、検者によって、リム情報が入力され、入力されたリム情報を眼鏡枠形状測定装置が受信することによって取得する構成であってもよい。この場合、例えば、検者によって、メモリに記憶されたリム情報の中から所望のリム情報が選択されて、リム情報が入力されるようにしてもよい。また、この場合、例えば、検者によって、眼鏡枠形状測定装置に着脱可能なメモリが眼鏡枠形状測定装置に接続されることによって、メモリからリム情報が送信されて、リム情報が入力されるようにしてもよい。
【００５４】
また、例えば、補間手段は、眼鏡フレームにおける少なくとも１つ以上の測定位置において、測定子をリムに押し当てて移動させることで、リムの輪郭をトレースして測定された測定結果に基づいて、補間するようにしてもよい。この場合、例えば、眼鏡枠形状測定装置において、眼鏡フレームのリムに測定子を挿入し、測定子をリムに押し当てて移動させることで、リムの輪郭をトレースし、リムの形状を測定する測定光学系を設けてもよい。もちろん、眼鏡枠形状測定装置とは異なる装置に設けられた上記測定光学系を用いて、リムの形状を測定してもよい。この場合、異なる装置によって取得された測定結果を眼鏡枠形状測定装置が受信するようにしてもよい。測定子によって測定された結果を用いることで、リムからの反射光束が取得しづらい眼鏡フレームであっても、良好に補間を行うことができる。
【００５５】
また、例えば、補間手段は、断面形状におけるリムの欠損部分の近傍の断面形状に基づいて、断面形状におけるリムの欠損部分を補間するようにしてもよい。これによって、例えば、余分な構成や構成を用いるための制御を必要とせず、容易に欠損部分の補間を行うことができる。
【００５６】
例えば、近傍の断面形状に基づいて、断面形状におけるリムの欠損部分を補間する方法として、補間手段は、欠損部分の近傍部分の断面形状から欠損部分のリムの断面形状を推定するようにして補間するようにしてもよい。例えば、欠損部分の近傍部分から推定する方法として、補間手段は、近傍の断面形状に適合する近似曲線を取得し、近似曲線にて欠損部分を補間するようにしてもよい。また、例えば、欠損部分の近傍部分から推定する方法として、補間手段は、欠損部分の近傍の断面形状間を直線と曲線との少なくとも一方で接続することによって、欠損部分を補間するようにしてもよい。この場合、例えば、補間手段は、断面形状が存在している部分の２つの末端（欠損部分の２つ末端）を直線と曲線の少なくとも一方にて延長させて断面形状が存在している部分の２つの末端を接続させるようにしてもよい。もちろん、近傍の断面形状に基づいて、断面形状におけるリムの欠損部分を補間する方法としては上記方法に限定されず、近傍の断面形状を用いて欠損部分が取得される構成であればよい。
【００５７】
また、例えば、補間手段は、別途断面形状を取得して、取得した断面形状に基づいて、リムの欠損部分を補間するようにしてもよい。この場合、例えば、取得手段は、断面形状（第１断面形状）とは異なる断面形状（第２断面形状）を取得するようにしてもよい。すなわち、取得手段は、第１断面形状とは異なる第２断面形状を取得するようにしてもよい。また、例えば、補間手段は、断面形状とは異なる断面形状に基づいて、断面形状におけるリムの欠損部分を補間するようにしてもよい。  これによって、例えば、他の断面形状に基づく補間を行うことができるため、欠損部分を実際の断面形状又は実際の断面形状に近い形状で補間することができる。このため、より精度よく補間を行うことができ、良好な断面形状を取得することができる。
【００５８】
例えば、補間手段は、異なる断面形状に基づいて断面形状におけるリムの欠損部分を補間する構成として、異なる断面形状を合成処理することで、断面形状の欠損部分の補間を行うようにしてもよい。この場合、例えば、補間手段は、断面形状に対して、異なる断面形状を合成処理することによって、断面形状におけるリムの欠損部分を補間するようにしてもよい。例えば、合成処理によって断面形状の補間を行うことができるため、複雑な演算処理等を必要とせず、容易に良好な断面形状を取得することができる。
【００５９】
なお、合成処理を行う場合、少なくとも欠損部分について合成処理が行われるようにしてもよい。例えば、異なる断面形状に基づいて欠損部分のみが合成処理されるようにしてもよい。この場合、例えば、補間手段は、異なる断面形状から欠損部分に適合する断面形状を抽出して、欠損部分が生じている断面形状の欠損部分に対して合成処理するようにしてもよい。もちろん、異なる断面形状に基づいて欠損部分のみを合成する際には、上記手法に限定されず、種々の方法を用いて合成処理を行うようにしてもよい。
【００６０】
また、例えば、補間手段は、欠損部分が生じている断面形状と異なる断面形状とで形状間全体が合成処理されるようにしてもよい。この場合、例えば、補間手段は、欠損部分が生じている断面形状（一例として、断面画像）に対して異なる断面形状（例えば、一例として断面画像）を加算処理することで、形状間全体を合成するようにしてもよい。また、この場合、例えば、補間手段は、欠損部分が生じている断面形状と異なる断面形状とを加算平均処理することによって、形状間全体を合成するようにしてもよい。なお、例えば、加算処理及び加算平均処理を行う場合に、断面形状の輝度値を加算処理又は加算平均処理するようにしてもよい。もちろん、形状間全体を合成する際には、上記手法に限定されず、種々の方法を用いて合成処理を行うようにしてもよい。
【００６１】
また、例えば、補間手段は、異なる断面形状に基づいて断面形状におけるリムの欠損部分を補間する構成として、異なる断面形状に基づいて欠損部分の形状を推定して補間するようにしてもよい。この場合、例えば、補間手段は、異なる断面形状と欠損部分の形状が類似するように、補間を行うようにしてもよい。この場合、例えば、補間手段は、異なる断面形状から欠損部分の形状を推定して補間するようにしてもよい。
【００６２】
もちろん、例えば、異なる断面形状に基づいて断面形状におけるリムの欠損部分を補間する構成としては上記構成に限定されない。例えば、異なる断面形状を利用して、断面形状の欠損部分の補間を行う構成であればよい。
【００６３】
例えば、異なる断面形状を取得するタイミングとしては、測定中に取得するようにしてもよい。この場合、例えば、測定中に欠損部分が生じた断面形状が取得された測定位置において、連続的に異なる断面形状が取得されてもよい。また、異なる断面形状を取得するタイミングとしては、測定が完了した後に取得するようにしてもよい。この場合、例えば、測定が完了した後、測定中に欠損部分が生じた断面形状について再測定が行われることで異なる断面形状が取得されるようにしてもよい。もちろん、異なる断面形状を取得するタイミングとしては、上記タイミングに限定されず、欠損部分を補間するための断面形状が取得可能なタイミングであればよい。
【００６４】
例えば、異なる断面形状とは、欠損部分が生じている断面形状（欠損部分を含む断面形状）を取得した測定位置と同一の測定位置にて撮影条件を変更して取得された断面形状であってもよい。この場合、例えば、異なる断面形状は、断面形状を取得した測定位置と同一の測定位置において、断面形状を取得した際の撮影条件とは異なる撮影条件にて取得された断面形状であってもよい。例えば、異なる撮影条件で断面形状を取得することによって、欠損部分の断面形状を良好に取得することが可能となる。これによって、欠損部分の断面形状に基づいて、欠損部分が生じている断面形状の補間を行うことができるため、断面形状をより精度よく補間することができる。
【００６５】
また、例えば、異なる断面形状とは、欠損部分が生じている断面形状を取得した測定位置と異なる測定位置にて取得された断面形状であってもよい。この場合、例えば、異なる測定位置は、欠損部分が生じている断面形状を取得した測定位置の近傍の測定位置であってもよい。この場合、例えば、異なる測定位置は、欠損部分が生じている断面形状を取得した測定位置の近傍の測定位置に限定されず、異なる測定位置であってもよい。
【００６６】
なお、例えば、異なる断面形状とは、欠損部分が生じている断面形状を取得した場合に対して、撮影条件と測定位置との少なくともいずれかが変更された場合で取得された断面形状であってもよい。
【００６７】
例えば、撮影条件の変更は、検出器によって受光される反射光の輝度レベル、リムに対する測定光束の入射角、の少なくともいずれかの変更であってもよい。もちろん、撮影条件の変更は、上記構成に限定されない。例えば、撮影条件の変更は、取得された断面形状に変化が生じる変更であればよい。
【００６８】
例えば、撮影条件の変更するために、検出器によって受光される反射光の輝度レベル（輝度値）を制御（変更）する場合、眼鏡枠形状測定装置は、検出器によって受光される反射光の輝度レベル（輝度値）を制御（変更）する輝度制御手段を備えていてもよい。例えば、輝度レベルが変更されることによって、断面の形状において輝度レベルが低い部分において断面形状が取得できず欠損部分が生じている場合であっても、輝度レベルを高くするように、輝度レベルの制御を行うことで、欠損部分に関する断面形状を取得することができる。また、例えば、輝度レベルが変更されることによって、輝度レベルが高い部分において断面形状の取得できず欠損部分が生じている場合であっても、輝度レベルを低くするように、輝度レベルの制御を行うことで、欠損部分に関する断面形状を取得することができる。
【００６９】
例えば、輝度制御手段は、眼鏡枠形状測定装置が備える各部材の少なくともいずれかの部材を制御する構成であってもよい。例えば、各部材は、光源、検出器、レンズ、反射部材等の少なくともいずれかであってもよい。
【００７０】
例えば、輝度制御手段は、光源からの測定光の投光光量を制御することによって、検出器によって受光される反射光の輝度レベルを制御するようにしてもよい。また、例えば、輝度制御手段は、検出器のゲインを制御することによって、検出器によって受光される反射光の輝度レベルを制御するようにしてもよい。
【００７１】
また、例えば、輝度制御手段は、光源から検出器までの光路中（投光光学系と受光光学系の光路中）に測定光の光量を調整する部材を設ける構成としてもよい。この場合、例えば、光量を調整する専用の部材が設けられる構成であってもよい。例えば、専用の部材としては、光量調整フィルタ、光減衰器であってもよい。また、この場合、例えば、投光光学系と受光光学系の各部材の内、いずれかの部材が光量を調整する部材として用いられてもよい。また、例えば、輝度制御手段は、検出器における露光時間を制御することによって、検出器によって受光される反射光の輝度レベルを制御するようにしてもよい。また、例えば、輝度制御手段は、光源の発光時間を制御することによって、検出器によって受光される反射光の輝度レベルを制御するようにしてもよい。
【００７２】
また、例えば、輝度制御手段は、光源からリムまでの距離を変更する構成と、リムから検出器までの距離を変更する構成と、いずれか一方の構成によって、反射光の輝度レベルを制御するようにしてもよい。この場合、例えば、第１変更手段と、第２変更手段と、の少なくとも一方が制御されて、眼鏡フレームのリムの溝に対する測定光束の照射位置を変更するし制御と、受光光学系による反射光束の受光位置を変更すると、の少なくとも一方が実施されるようにしてもよい。なお、このとき、例えば、輝度制御手段は、第１制御手段と、第２制御手段と、の少なくともいずれかと兼用されてもよい。もちろん、例えば、輝度制御手段は、別途、設けられるようにしてもよい。
【００７３】
なお、例えば、輝度制御手段は、上記構成に限定されない。例えば、輝度制御手段は、検出器によって受光される反射光の輝度レベルを制御できる構成であればよい。なお、例えば、輝度制御手段は、上記構成の少なくともいずれかの構成であってもよい。例えば、輝度制御手段は、上記構成の内、１つを備える構成であってもよい。また、例えば、輝度制御手段は、上記構成の内、複数の構成を組み合わせるようにしてもよい。一例として、輝度制御手段は、光源からの測定光の投光光量の制御と、検出器のゲインを調整と、を行うようにしてもよい。
【００７４】
また、例えば、撮影条件の変更するために、リムに対する測定光束の入射角を変更する場合、例えば、眼鏡枠形状測定装置は、眼鏡フレームのリムの溝に向けて照射する測定光束の入射角を変更する入射角変更手段と、入射角変更手段を制御する入射角制御手段（例えば、制御部５０）と、を設けてもよい。例えば、入射角制御手段は、入射角変更手段を制御することで、測定光束の入射角を制御するようにしてもよい。
【００７５】
例えば、入射角変更手段は、第１変更手段と第２変更手段の少なくともいずれかが用いられてもよい。また、この場合、例えば、入射角変更手段は、別途、専用の構成が設けられるようにしてもよい。また、この場合、例えば、入射角変更手段は、第１変更手段と第２変更手段の少なくともいずれかの一部の構成と専用の構成とが用いられるようにしてもよい。
【００７６】
例えば、入射角変更手段は、測定光束をＸＹ平面上で回転させて、測定光束の入射角を変更させるようにしてもよい。この場合、例えば、取得される異なる断面形状は、歪みと傾きの少なくともいずれか（特に歪み）を補正した後に、補間に用いられるようにしてもよい。また、例えば、入射角変更手段は、測定光束をＺ方向に回転させて、測定光束の入射角を変更させるようにしてもよい。この場合、例えば、取得される異なる断面形状は、歪みと傾きの少なくともいずれか（特に傾き）を補正した後に、補間に用いられるようにしてもよい。もちろん、上記ＸＹ平面上での回転及びＺ方向への回転が組みわされた回転によって、測定光束の入射角を変更させるようにしてもよい。この場合、例えば、取得される異なる断面形状は、歪みと傾きの少なくともいずれかを補正した後に、補間に用いられるようにしてもよい。
【００７７】
なお、例えば、眼鏡枠形状測定装置は、欠損部分が存在するか否かを判定することによって、補間を行うか否かを決定するようにしてもよい。この場合、例えば、眼鏡枠形状測定装置は、断面形状を解析処理することによって、断面形状における欠損部分が存在する否かを判定する欠損部分判定手段を備えるようにしてもよい。例えば、補間手段は、欠損部分判定手段による判定結果に基づいて、断面形状におけるリムの欠損部分を補間するようにしてもよい。例えば、判定処理を行うことで、断面形状における欠損部分をより精度よく特定することができる。このため、断面形状における欠損部分をより確実に補間することができ、容易に良好な断面形状を取得することができる。
【００７８】
例えば、判定手段は、取得された断面形状の輝度レベルが許容レベルを満たすか否かに基づいて、断面形状における欠損部分が存在する否かを判定するようにしてもよい。一例として、例えば、判定手段は、取得された断面形状において、断面形状の輝度レベルを検出するようにしてもよい。例えば、判定手段は、断面形状における輝度レベルが許容レベルを満たすか否かを断面形状上における領域（部分）毎に判定をするようにしてもよい。例えば、判定手段は、輝度レベルが許容レベルを満たさなかった領域において欠損部分として判定するようにしてもよい。
【００７９】
なお、例えば、上記の許容レベルは、予め設定された許容レベルであってもよい。例えば、予め、シミュレーションや実験等によって断面形状が検出できる許容レベルが設定されるようにしてもよい。なお、判定方法としては、上記手法に限定されない。例えば、判定手法としては、断面形状が検出できるか否かを判定できる方法であればよい。
【００８０】
例えば、判定手段は、一定の範囲の領域で欠損部分があると判定した場合に、最終的な判定結果として、欠損部分が存在すると判定するようにしてもよい。また、例えば、判定手段は、一箇所（一部）でも欠損部分が存在すると判定した場合、最終的な判定結果として、欠損部分が存在すると判定するようにしてもよい。
【００８１】
なお、例えば、補間手段が補間を行うタイミングとしては種々のタイミング実施するようにしてもよい。例えば、補間手段は、眼鏡フレームのリムの測定中において、取得された断面形状を補間していくようにしてもよい。すなわち、眼鏡フレームのリムの測定による断面形状の取得と並行して、欠損部分が生じている断面形状の補間を実施していくようにしてもよい。また、例えば、補間手段は、眼鏡フレームのリムの測定が完了した後、取得された断面形状の欠損部分における補間を行うようにしてもよい。
【００８２】
＜眼鏡フレームの形状取得＞
例えば、眼鏡枠形状測定装置は、眼鏡フレームの形状（形状データ）を取得するようにしてもよい。この場合、例えば、眼鏡枠形状測定装置は、解析手段（例えば、制御部５０）を備えてもよい。例えば、第１制御手段は、第１変更手段を制御して、眼鏡フレームの複数の動径角におけるリムの溝に対して測定光束を照射してもよい。例えば、取得手段は、眼鏡フレームの複数の動径角におけるリムの溝の断面形状をそれぞれ取得してもよい。なお、例えば、取得手段によって取得された断面形状に欠損部分が生じている場合に、補間手段は、断面形状の欠損部分を補間するようにしてもよい。
【００８３】
例えば、解析手段は、眼鏡フレームの複数の動径角におけるリムの溝の断面形状から眼鏡フレームの複数の動径角におけるリムの溝の底をそれぞれ検出し、検出した検出結果に基づいて、眼鏡フレームの形状を取得するようにしてもよい。
【００８４】
例えば、眼鏡フレームの形状は、二次元形状（二次元形状データ）であってもよい。例えば、二次元形状は、眼鏡フレームの動径方向（ＸＹ方向）のデータで表したものである。また、例えば、眼鏡フレームの形状は、三次元形状（三次元形状データ）であってもよい。例えば、三次元形状は、眼鏡フレームの動径方向（ＸＹ方向）及び動径方向に垂直な方向（Ｚ方向）のデータで表したものである。なお、例えば、二次元形状を取得する場合、解析手段は、三次元形状からＸＹ方向のリムの溝の位置を検出して二次元形状を取得するようにしてもよい。この場合、例えば、二次元形状は、三次元形状をＸＹ平面に投影することによって取得してもよい。
【００８５】
例えば、眼鏡枠形状測定装置は、第１制御手段が第１変更手段を制御して、眼鏡フレームの複数の動径角におけるリムの溝に対して測定光束を照射する。取得手段は、眼鏡フレームの複数の動径角におけるリムの溝の断面形状をそれぞれ取得する。眼鏡枠形状測定装置は、眼鏡フレームの複数の動径角におけるリムの溝の断面形状から眼鏡フレームの複数の動径角におけるリムの溝の底をそれぞれ検出し、検出した検出結果に基づいて、眼鏡フレームの形状を取得する解析手段を備える。これによって、従来のように、眼鏡フレームによっては、測定子がレンズ枠の溝から外れてしまい測定できないことを抑制することができ、種々の形状の眼鏡フレームに対して、容易に精度よく眼鏡フレームの形状を取得することできる。
【００８６】
例えば、眼鏡フレームの形状は、眼鏡フレームのリムの全周（各動径角においてリムが形成されているすべての部分）の内、少なくとも一部の領域で取得されるようにしてもよい。この場合、例えば、眼鏡フレームの形状は、眼鏡フレームのリムの全周において、取得されるようにしてもよい。また、この場合、例えば、眼鏡フレームの形状は、眼鏡フレームのリムの全周において、複数の領域（例えば、眼鏡フレームの左端領域、右端領域、上端領域、下端領域等）で取得されるようにしてもよい。また、この場合、例えば、眼鏡フレームの形状は、眼鏡フレームのリムの全周において、一部分の領域で取得されるようにしてもよい。なお、眼鏡フレームのリムの全周に対して眼鏡フレームの形状を取得していない場合で、眼鏡フレームのリムの全周の眼鏡フレームの形状を取得したい場合には、眼鏡フレームの形状を取得した部分の形状に基づいて、補間をすることによって、眼鏡フレームのリムの全周の形状を取得するようにしてもよい。
【００８７】
＜三次元断面形状取得＞
例えば、眼鏡枠形状測定装置は、三次元断面形状を取得してもよい。例えば、第１制御手段は、第１変更手段を制御して、眼鏡フレームの複数の動径角におけるリムの溝に対して測定光束を照射する。例えば、取得手段は、眼鏡フレームの複数の動径角におけるリムの溝の断面形状をそれぞれ取得することによって、三次元断面形状を取得するようにしてもよい。本実施例において、例えば、取得手段は、欠損部分を補間された断面形状と、欠損部分が存在していない断面形状とを用いて、三次元断面形状を取得するようにしてもよい。
【００８８】
例えば、本実施形態において、眼鏡枠形状測定装置は、第１制御手段が第１変更手段を制御して、眼鏡フレームの複数の動径角におけるリムの溝に対して測定光束を照射する。取得手段は、眼鏡フレームの複数の動径角におけるリムの溝の断面形状をそれぞれ取得し、三次元断面形状を取得する。これによって、容易に精度よく眼鏡フレームの三次元断面形状を取得することできる。
【００８９】
なお、例えば、取得手段と、第１制御手段と、第２制御手段と、補間手段と、輝度制御手段と、入射角制御手段と、判定手段と、解析手段と、の少なくともいずれかが兼用される構成であってもよい。また、例えば、取得手段と、第１制御手段と、第２制御手段と、補間手段と、輝度制御手段と、入射角制御手段と、判定手段と、解析手段と、が別途それぞれ設けられる構成であってもよい。
【００９０】
＜レンズ加工＞
例えば、眼鏡枠形状測定装置によって取得された眼鏡フレームのリムの溝の断面形状をレンズの加工に用いてもよい。例えば、レンズの周縁を加工するレンズ加工装置（例えば、レンズ加工装置３００）は、眼鏡枠形状測定装置によって取得された眼鏡フレームのリムの溝の断面形状を取得する。
【００９１】
例えば、眼鏡枠形状測定装置は、送信手段を有し、送信手段によって、レンズ加工装置に向けて眼鏡フレームのリムの溝の断面形状を送信するようにしてもよい。この場合、例えば、レンズ加工装置は、受信手段を有し、眼鏡枠形状測定装置から送信された眼鏡フレームのリムの溝の断面形状を受信するようにしてもよい。
【００９２】
なお、例えば、レンズ加工装置に眼鏡枠形状測定装置が備えられた構成であってもよい。また、例えば、レンズ加工装置と眼鏡枠形状測定装置とが別途それぞれ別装置であってもよい。この場合には、有線と無線との少なくともいずれかによって、眼鏡フレームのリムの溝の断面形状が眼鏡枠形状測定装置からレンズ加工装置に送信されるようにしてもよい。
【００９３】
例えば、レンズ加工装置は、加工制御手段（例えば、制御部３１０）を備えてもよい。例えば、加工制御手段は、眼鏡枠形状測定装置によって取得された眼鏡フレームのリムの溝の断面形状に基づいてレンズの周縁を加工してもよい。例えば、加工制御手段は、レンズを保持するレンズ保持手段及び加工具を制御して、眼鏡フレームのリムの溝の断面形状に基づいてレンズの周縁を加工してもよい。
【００９４】
例えば、本実施形態において、レンズ加工装置は、眼鏡フレームのリムの溝の断面形状に基づいてレンズの周縁を加工する加工制御手段を備える。これによって、眼鏡フレームに加工後のレンズを良好に枠入れする際に、リムの溝の形状と加工後のレンズの輪郭形状が近い形状となるため、枠入れを良好に行うことができる。
【００９５】
＜実施例＞
本開示の典型的な実施例の１つについて、図面を参照して説明する。図１は、眼鏡枠形状測定装置の外観略図である。例えば、図２は、眼鏡フレームが保持された状態のフレーム保持ユニットの上面図である。例えば、本実施例において、眼鏡枠形状測定装置１は、フレーム保持ユニット１０と、測定ユニット２０と、を備える。例えば、フレーム保持ユニット１０は、眼鏡フレームＦを所期する状態に保持する。例えば、測定ユニット２０は、フレーム保持ユニット１０に保持された眼鏡フレームＦのリム(例えば、左側リムＦＬ、右側リムＦＲｓ)の溝に向けて測定光束を照射し、その反射光束を受光することにより、眼鏡フレームＦのリムの溝の断面形状を取得するために用いられる。例えば、測定ユニット２０はフレーム保持ユニット１０の下に配置されている。
【００９６】
例えば、眼鏡枠形状測定装置１の筐体の前側には測定開始用のスイッチ等を持つスイッチ部４が配置されている。例えば、眼鏡枠形状測定装置１の筐体の後側には、タッチパネル式のディスプレイ３が配置されている。例えば、レンズの周縁加工に際し、パネル部３により玉型データに対するレンズのレイアウトデータ、レンズの加工条件等が入力される。例えば、眼鏡枠形状測定装置１で得られた取得結果（リムの溝の断面形状、眼鏡フレーム形状等）及びディスプレイ３で入力されたデータは、レンズ加工装置に送信される。なお、眼鏡枠形状測定装置１は、特開２０００−３１４６１７号公報等と同じく、レンズ加工装置に組み込まれる構成としてもよい。
【００９７】
＜フレーム保持ユニット＞
例えば、フレーム保持ユニット１０の下側には、測定ユニット２０が備えられている。例えば、保持部ベース１０１上には眼鏡フレームＦを水平に保持するための前スライダー１０２と後スライダー１０３が載置されている。なお、例えば、水平とは略水平であってもよい。例えば、前スライダー１０２と後スライダー１０３は、その中心線ＣＬを中心に２つのレール１１１上を対向して摺動可能に配置されていると共に、バネ１１３により常に両者の中心線ＣＬに向かう方向に引っ張られている。
【００９８】
例えば、前スライダー１０２には、眼鏡フレームＦのリムをその厚み方向からクランプするためのクランプピン１３０ａ，１３０ｂがそれぞれ２箇所に配置されている。例えば、後スライダー１０３には眼鏡フレームＦのリムをその厚み方向からクランプするためのクランプピン１３１ａ，１３１ｂがそれぞれ２箇所に配置されている。また、例えば、型板を測定するときは、前スライダー１０２及び後スライダー１０３が開放され、周知の型板保持治具が所定の取付け位置１４０に配置されて使用される。このフレーム保持ユニット１０の構成は、例えば、特開２０００−３１４６１７号公報等に記載された周知のものが使用できる。
【００９９】
例えば、眼鏡フレームＦは、眼鏡装用時のリムの下側が前スライダー１０２側に位置され、リムの上側が後スライダー１０３側に位置される。例えば、左右のリムのそれぞれの下側及び上側に位置するクランプピンにより、眼鏡フレームＦは所定の測定状態に保持される。
【０１００】
なお、本実施例においては、リムの前後方向の位置を規制する構成として、上記クランプピン１３０ａ，１３０ｂ及びクランプピン１３１ａ，１３１ｂの構成を例に挙げて説明したがこれに限定されない。周知の機構が使用されても良い。例えば、左右リムの前後方向を固定する機構としては、Ｖ字状の溝を持つ当接部材（規制部材）を左右リム用にそれぞれ設ける構成でも良い。
【０１０１】
＜測定ユニット＞
以下、測定ユニット２０の構成について説明する。例えば、測定ユニット２０は、眼鏡フレーム測定光学系３０を備える。例えば、眼鏡フレーム測定光学系３０は、投光光学系３０ａと、受光光学系３０ｂと、で構成される。例えば、投光光学系３０ａ及び受光光学系３０ｂは、眼鏡フレームの形状及び眼鏡フレームのリムの溝の断面形状を取得するために用いられる（詳細は後述する）。
【０１０２】
例えば、測定ユニット２０は、投光光学系３０ａと受光光学系３０ｂとを保持する保持ユニット２５を備える。例えば、測定ユニット２０は、保持ユニット２５をＸＹＺ方向に移動させる移動ユニット２１０を備える（例えば、図３〜図５参照）。また、例えば、測定ユニット２０は、回転軸Ｌ０を中心として保持ユニット２５を回転させる回転ユニット２６０を備える（例えば、図６参照）。なお、例えば、本実施例において、ＸＹ方向はフレーム保持ユニット１０により保持される眼鏡フレームＦの測定平面（リムの動径方向）と平行であり、Ｚ方向は測定平面に垂直な方向である。
【０１０３】
＜移動ユニット＞
以下、移動ユニット２１０について説明する。例えば、図３〜図５は、移動ユニット２１０の構成を説明する図である。例えば、図３は、移動ユニット２１０を上方から見た斜視図を示している。例えば、図４は、移動ユニット２１０の下方から見た斜視図を示している。例えば、図５は、Ｚ移動ユニット２２０とＹ移動ユニット２３０の上面斜視図（Ｘ移動ユニット２４０とベース部２１１を取り外した状態の斜視図）を示している。
【０１０４】
例えば、移動ユニット２１０は、大別して、Ｚ移動ユニット（Ｚ方向駆動手段）２２０と、Ｙ移動ユニット（Ｙ方向駆動手段）２３０と、Ｘ移動ユニット（Ｘ方向駆動手段）２４０と、を備える。例えば、Ｚ移動ユニット（Ｚ方向駆動手段）２２０は、保持ユニット２５をＺ方向に移動させる。例えば、Ｙ移動ユニット２３０は、保持ユニット２５及びＺ移動ユニット２２０を保持し、Ｙ方向へ移動させる。例えば、Ｘ移動ユニット２４０は、保持ユニット２５をＺ移動ユニット２２０及びＹ移動ユニット２３０と共にＸ方向に移動させる。
【０１０５】
例えば、Ｘ移動ユニット２４０は、概略的に次のように構成されている。例えば、Ｘ移動ユニット２４０は、水平方向（ＸＹ方向）に伸展した方形状の枠を持つベース部２１１の下方に、Ｘ方向に延びるガイドレール２４１を備える。例えば、Ｙ移動ユニット２３０のＹベース２３０ａが、ガイドレール２４１に沿って、Ｘ方向に移動可能に取り付けられている。例えば、ベース部２１１には、モータ（駆動源）２４５が取り付けられている。例えば、モータ２４５の回転軸には、Ｘ方向に延びる送りネジ２４２が取り付けられている。例えば、Ｙベース２３０ａに固定されたナット部２４６が送りネジ２４２に螺合されている。これにより、モータ２４５が回転されると、Ｙベース２３０ａがＸ方向に移動される。なお、例えば、Ｘ移動ユニット２４０のＸ方向の移動範囲は、眼鏡フレームの左右のレンズ枠を測定可能にするために、保持ユニット２５が搭載されるＹベース２３０ａを眼鏡フレームの左右幅以上に移動可能な長さを持つようにしてもよい。
【０１０６】
例えば、Ｙ移動ユニット２３０は、概略的に次のように構成されている。例えば、Ｙベース２３０ａには、Ｙ方向に延びるガイドレール２３１が取り付けられている。例えば、Ｚベース２２０ａは、ガイドレール２３１に沿ってＹ方向に移動可能に取り付けられている。例えば、Ｙベース２３０ａにはＹ移動用のモータ（駆動源）２３５とＹ方向に延びる送りネジ２３２が回転可能に取り付けられている。例えば、モータ２３５の回転は、ギヤ等の回転伝達機構を介して送りネジ２３２に伝達される。例えば、送りネジ２３２には、Ｚベース２２０ａに取り付けられたナット２２７が螺合されている。これらの構成により、モータ２３５が回転されると、Ｚベース２２０ａがＹ方向に移動される。
【０１０７】
例えば、Ｘ移動ユニット２４０及びＹ移動ユニット２３０によりＸＹ移動ユニットが構成される。例えば、保持ユニット２５をＸＹ方向に移動させる範囲は、測定可能なリムの動径よりも大きくされている。また、例えば、保持ユニット２５のＸＹ方向の移動位置は、後述する制御部５０によりモータ２４５及び２３５が駆動されるパルス数によって検知され、保持ユニット２５のＸＹ方向の位置を検知する第１のＸＹ位置検知ユニットがモータ２４５，２３５及び制御部５０により構成される。例えば、保持ユニット２５のＸＹ位置検知ユニットとしては、モータ２４５及び２３５のパルス制御で検知する他、モータ２４５及び２３５のそれぞれの回転軸に取り付けられたエンコーダ等のセンサを使用する構成でも良い。
【０１０８】
例えば、Ｚ移動ユニット２２０は、概略的に次のように構成されている。例えば、Ｚベース２２０ａにはＺ方向に延びるガイドレール２２１が形成され、このガイドレール２２１に沿って保持ユニット２５が取り付けられた移動ベース２５０ａがＺ方向に移動可能に保持されている。例えば、Ｚベース２２０ａには、Ｚ移動用のパルスモータ２２５が取り付けられていると共に、Ｚ方向に延びる送りネジ（図示を略す）が回転可能に取り付けられている。例えば、保持ユニット２５のベース２５０ａに取り付けられたナットに螺合されている。例えば、モータ２２５の回転はギヤ等の回転伝達機構を介して送りネジ２２２に伝達され、送りネジ２２２の回転により保持ユニット２５がＺ方向に移動される。保持ユニット２５のＺ方向の移動位置は、後述する制御部５０によってモータ２２５が駆動されるパルス数により検知され、保持ユニット２５のＺ方向の位置を検知するＺ位置検知ユニットがモータ２２５及び制御部５０により構成される。例えば、保持ユニット２５のＺ位置検知ユニットとしては、モータ２２５のパルス制御で検知する他、モータ２２５の回転軸に取り付けられたエンコーダ等のセンサを使用する構成でも良い。
【０１０９】
なお、以上のようなＸ方向、Ｙ方向及びＺ方向の各移動機構は、実施例に限られず、周知の機構が採用できる。例えば、保持ユニット２５を直線移動させる代わりに、回転ベースの中心に対して円弧起動で移動させる構成としても良い（例えば、特開２００６−３５０２６４号公報等参照）。
【０１１０】
＜回転ユニット＞
次いで、回転ユニット２６０について説明する。例えば、図６は、回転ユニット２６０について説明する図である。
【０１１１】
例えば、保持ユニット２５には、開口部２６が設けられている。例えば、開口部２６は、投光光学系３０ａからの測定光束を通過させるとともに、眼鏡フレームＦで反射された反射光束を通過させる。例えば、開口部２６には開口部２６を覆うような透明パネルが設けられていてもよい。例えば、開口部２６は、投光光学系３０ａのから照射される測定光束を保持ユニット２５の内部から外部に向けて出射する。すなわち、投光光学系３０ａからの測定光束は、開口部２６を通過して眼鏡フレームＦのリムの溝に向けて照射される。例えば、開口部２６は、眼鏡フレームＦのリムの溝によって反射された反射光束を保持ユニット２５の外部から保持ユニット２５の内部の受光光学系３０ｂに向けて通過させる。すなわち、眼鏡フレームＦのリムの溝によって反射された反射光束は、開口部２６を通過して受光光学系３０ｂに受光される。
【０１１２】
例えば、回転ユニット２６０は、Ｚ方向に延びる回転軸ＬＯを中心に保持ユニット２５を回転させることで、開口部２６が向くＸＹ方向を変更する。例えば、回転ユニット２６０は、回転ベース２６１を備える。例えば、保持ユニット２５は回転ベース２６１に取り付けられている。例えば、回転ベース２６１は、Ｚ方向に延びる回転軸ＬＯを中心にして回転可能に保持されている。例えば、回転ベース２６１の下部の外周には、大径ギア２６２が形成されている。例えば、回転ユニット２６０は、取り付け板２５２を有する。例えば、取り付け板２５２には、モータ（駆動源）２６５が取り付けられている。例えば、モータ２６５の回転軸にピニオンギア２６６が固定され、ピニオンギア２６６の回転は、取り付け板２５２に回転可能に設けられたギア２６３を介して、大径ギア２６２に伝達される。したがって、モータ２６５の回転により、回転ベース２６１が回転軸ＬＯの軸回りに回転される。例えば、モータ２６５の回転は、モータ２６５に一体的に取り付けられたエンコーダ（センサ）２６５ａにより検出され、エンコーダ２６５ａの出力から回転ベース２６１（すなわち、保持ユニット２５）の回転角が検知される。回転ベース２６１の回転の原点位置は、図示を略す原点位置センサにより検知される。なお、以上のような回転ユニット２６０の各移動機構は、実施例に限られず、周知の機構が採用できる。
【０１１３】
なお、本実施例において、回転ユニット２６０の回転軸ＬＯは、後述する投光光学系３０ａの光源３１を通る軸として設定されている。すなわち、回転ユニット２６０は、投光光学系３０ａの光源３１を中心として、回転する。もちろん、回転ユニット２６０の回転軸は、異なる位置を回転軸としてもよい。例えば、回転ユニット２６０の回転軸ＬＯを後述する受光光学系３０ｂの検出器３７を通る軸に設定してもよい。
【０１１４】
＜眼鏡フレーム測定光学系＞
次いで、保持ユニット２５に保持された眼鏡フレーム測定光学系３０について説明する。例えば、図７は、眼鏡フレーム測定光学系３０について示す概略構成図である。例えば、眼鏡フレーム測定光学系３０は、眼鏡フレームＦを取得するために用いられる。例えば、本実施例において、眼鏡フレーム測定光学系３０は、眼鏡フレームＦのリムの溝の断面形状を取得するために用いられる。また、例えば、本実施例において、眼鏡フレーム測定光学系３０は、眼鏡フレームＦの形状を測定するために用いられる。
【０１１５】
例えば、本実施例において、眼鏡フレーム測定光学系３０は、保持ユニット２５の内部に配置される。例えば、眼鏡フレーム測定光学系３０は、投光光学系３０ａと、受光光学系３０ｂと、によって構成されている。例えば、投光光学系３０ａは、光源を有し、眼鏡フレームＦのリムの溝に向けて光源から測定光束を照射する。例えば、受光光学系３０ｂは、検出器を有し、投光光学系３０ａによって眼鏡フレームＦのリムの溝に向けて照射され、眼鏡フレームＦのリムの溝によって反射された測定光束の反射光束を検出器によって受光する．
例えば、本実施例において、眼鏡フレーム測定光学系３０は、シャインプルークの原理に基づいて眼鏡フレームＦのリムの溝の断面形状を取得する構成となっている。例えば、投光光学系３０ａは、眼鏡フレームのリムの溝にスリット光を照射する。例えば、受光光学系３０ｂは、スリット光が照射される光軸Ｌ１に対して傾斜した光軸Ｌ２を持ち、シャインプルークの原理に基づいて配置されたレンズと検出器を備える。もちろん、眼鏡フレーム測定光学系３０は、シャインプルークの原理に基づく光学系ではなく、異なる構成の光学系が用いられてもよい。眼鏡フレーム測定光学系３０は、眼鏡フレームＦのリムの溝の断面形状が取得される光学系であればよい。
【０１１６】
なお、実施例においては、投光光学系３０ａと、受光光学系３０ｂと、が一体的に移動する構成を例に挙げて説明しているがこれに限定されない。例えば、Ｘ移動ユニット２４０、Ｙ移動ユニット２３０、Ｚ移動ユニット２２０、及び回転ユニット２６０の少なくともいずれか１つの駆動手段において、投光光学系３０ａと、受光光学系３０ｂと、が別途それぞれ移動される構成であってもよい。
【０１１７】
＜投光光学系＞
例えば、投光光学系３０ａは、光源３１と、レンズ３２と、スリット板３３と、を備える。例えば、光源３１より出射された測定光束は、レンズ３２によって集光してスリット板３３を照明する。例えば、スリット板３３を照明した測定光束は、スリット板３３により細いスリット状に制限された測定光束となり眼鏡フレームＦのリムの溝ＦＡに照射される。すなわち、例えば、スリット光が眼鏡フレームＦのリムの溝ＦＡに照射される。これにより、眼鏡フレームＦのリムの溝ＦＡは、スリット光により光切断された形で照明される。
【０１１８】
＜受光光学系＞
例えば、受光光学系３０ｂは、レンズ３６と、検出器（例えば、受光素子）３７と、を備える。例えば、受光光学系３０ｂは、眼鏡フレームＦのリムの溝ＦＡに対して、斜め方向から断面形状を取得する構成となっている。例えば、受光光学系３０ｂは、シャインプルークの原理に基づいて眼鏡フレームＦのリムの溝ＦＡの断面形状を取得する構成となっている。
【０１１９】
例えば、レンズ３６は、リムの溝ＦＡでの反射により取得されるリムの溝ＦＡの反射光束（例えば、リムの溝ＦＡの散乱光、リムの溝ＦＡの正反射光等）を検出器３７に導く。例えば、検出器３７は、眼鏡フレームＦのリムの溝ＦＡと略共役な位置に配置された受光面を持っている。例えば、受光光学系３０ｂは、投光光学系３０ａの投光光軸Ｌ１に対して傾斜した撮像光軸Ｌ２を持ち、シャインプルークの原理に基づいて配置されたレンズ３６と検出器３７を持っている。受光光学系３０ｂは、その光軸（撮像光軸）Ｌ２が投光光学系３０ａの光軸Ｌ１と所定の角度で交わるように配置されている。例えば、投光光学系３０ａによって眼鏡フレームＦのリムの溝ＦＡに照射される光断面と、眼鏡フレームＦのリムの溝ＦＡを含むレンズ系（眼鏡フレームＦのリムの溝ＦＡ及びレンズ３６）と検出器３７の受光面（受光位置）とがシャインプルークの関係にて配置されている。
【０１２０】
＜制御手段＞
図８は、眼鏡枠形状測定装置１に関する制御ブロック図である。制御部５０には、不揮発性メモリ（記憶手段）５２、ディスプレイ３、スイッチ部４等が接続されている。
【０１２１】
例えば、制御部５０は、ＣＰＵ（プロセッサ）、ＲＡＭ、ＲＯＭ等を備える。制御部５０のＣＰＵは、各部（例えば、光源３１、検出器３７、エンコーダ２６５ａ）及び各ユニットの駆動手段（例えば、フレーム保持ユニット１０の駆動源、各モータ２２５、２３５、２４５、２６５）等、装置全体の制御を司る。また、例えば、制御部５０は、各種演算（例えば、各センサからの出力信号等に基づいて眼鏡フレームの形状の演算等）を行う演算手段（解析手段）として機能する。ＲＡＭは、各種情報を一時的に記憶する。制御部５０のＲＯＭには、装置全体の動作を制御するための各種プログラム、初期値等が記憶されている。なお、制御部５０は、複数の制御部（つまり、複数のプロセッサ）によって構成されてもよい。不揮発性メモリ（記憶手段）５２は、電源の供給が遮断されても記憶内容を保持できる非一過性の記憶媒体である。例えば、ハードディスクドライブ、フラッシュＲＯＭ、眼鏡枠形状測定装置１に着脱可能に装着されるＵＳＢメモリ等を不揮発性メモリ（メモリ）５２として使用することができる。
【０１２２】
例えば、制御部５０は、レンズの周縁を加工するレンズ加工装置３００と接続されている。例えば、眼鏡枠形状測定装置１によって取得された各種データがレンズ加工装置３００の制御部３１０に送信される。レンズ加工装置３００の制御部３１０は、受信した各種データに基づいてレンズ加工装置３００の各部及び各ユニットの駆動手段を制御して、レンズの加工を行う。もちろん、レンズ加工装置３００と眼鏡枠形状測定装置１は、一体的に構成された装置であってもよい。
【０１２３】
例えば、本実施例において、ディスプレイ３は、タッチパネル式のディスプレイが用いられる。すなわち、本実施例において、ディスプレイ３がタッチパネルであるため、ディスプレイ３が操作部（操作ユニット）として機能する。この場合、制御部５０はディスプレイ３が持つタッチパネル機能により入力信号を受け、ディスプレイ３の図形及び情報の表示等を制御する。もちろん、眼鏡枠形状測定装置１に、別途、操作部が設けられる構成としてもよい。この場合、例えば、操作部には、例えば、マウス、ジョイスティック、キーボード、タッチパネル等の少なくともいずれかを用いればよい。もちろん、ディスプレイ６０と、操作部と、の双方が用いられ、眼鏡枠形状測定装置１が操作される構成としてもよい。なお、本実施例においては、ディスプレイ６０が操作部として機能するとともに、別途、スイッチ部（操作部）４が備えられた構成を例に挙げて説明する。
【０１２４】
＜制御動作＞
以上のような構成を持つ装置の動作を説明する。例えば、操作者は、フレーム保持ユニット１０に眼鏡フレームＦを保持させる。例えば、操作者は、眼鏡フレームＦの左右リムＦＬ，ＦＲが下方向、眼鏡フレームＦの左右のテンプルＦＴＬ，ＦＴＲが上方向となるように、フレーム保持ユニット１０に眼鏡フレームＦを保持させる。
【０１２５】
例えば、フレーム保持ユニット１０に眼鏡フレームＦが保持されると、操作者は、スイッチ部４を操作して、測定を開始させる。例えば、測定開始のトリガ信号が出力されると、制御部５０は、Ｘ移動ユニット２４０、Ｙ移動ユニット２３０、Ｚ移動ユニット２２０、及び回転ユニット２６０の少なくともいずれかを駆動することによって、保持ユニット２５（投光光学系３０ａ及び受光光学系３０ｂ）を移動させて眼鏡フレームＦのリムの測定を開始する。例えば、本実施例において、リムの測定は、右リムＦＲから測定が開始される。もちろん。左リムＦＬから測定が開始される構成であってもよい。
【０１２６】
例えば、制御部５０は、保持ユニット２５を移動させることによって、眼鏡フレーム測定光学系３０（投光光学系３０ａ及び受光光学系３０ｂ）を眼鏡フレームのリム輪郭を測定していくことによって、眼鏡フレームのリムの溝の断面形状を取得する。なお、本実施例においては、投光光学系３０ａ及び受光光学系３０ｂは、シャインプルークの関係を維持した状態で、眼鏡フレームＦに対して移動される。すなわち、眼鏡フレームＦのリムの溝に対して、眼鏡フレーム測定光学系３０が一定の位置関係となるように移動させることで、眼鏡フレームＦのリムの溝の断面形状が取得できる。
【０１２７】
例えば、測定開始のトリガ信号が出力されると、制御部５０は、移動ユニット２１０（Ｘ移動ユニット２４０、Ｙ移動ユニット２３０、Ｚ移動ユニット２２０の少なくともいずれか）、及び回転ユニット２６０の駆動を制御し、退避位置に置かれていた保持ユニット２５を測定開始の初期位置まで移動させる。なお、例えば、測定開始の初期位置は、保持ユニット２５が右リムＦＲの下端側のクランプピン１３０ａ，１３０ｂと、クランプピン１３１ａ，１３１ｂと、の中央位置に設定されている。もちろん、測定開始の初期位置は、任意の位置に設定することができる。
【０１２８】
例えば、保持ユニット２５が測定開始の初期位置まで移動されると、制御部５０は、光源３１を点灯する。そして、光源３１の点灯とともに、制御部５０は、眼鏡フレームＦの所定の位置のリムの溝に測定光束を照射するために、移動ユニット２１０、及び回転ユニット２６０の少なくともいずれかの駆動を制御する。
【０１２９】
例えば、本実施例において、リムの溝の断面形状を取得する位置を設定する場合に、制御部５０は、回転ユニット２６０を制御し、取得位置を設定する。図９は、回転ユニット２６０を制御して、異なる動径角にてリムの断面形状を取得する場合について説明する図である。図９Ａと図９Ｂは、異なる動径角にてリムの断面形状を取得している。
例えば、制御部５０は、回転ユニット２６０を制御して、投光光学系３０ａの光軸Ｌ１をＸＹ平面上で回転させて、投光光学系３０ａの光軸Ｌ１をリムの周方向に移動させる。すなわち、制御部５０は、Ｘ回転ユニット２６０を制御して、リムの溝の断面形状を取得する動径角を変更する。例えば、回転ユニット２６０が制御されることによって、投光光学系３０ａの照射位置Ｔ１が投光光学系３０ａの照射位置Ｔ２へと変更される。
【０１３０】
例えば、本実施例において、リムの溝の断面形状を取得する位置が設定され、リムの溝に対する測定光束の照射位置を変更する場合、移動ユニット２１０（Ｘ移動ユニット２４０、Ｙ移動ユニット２３０、Ｚ移動ユニット２２０の少なくともいずれか）を制御して、リムの溝に測定光束が照射されるように測定光束の照射位置を変更する。
【０１３１】
なお、本実施例において、リムの溝の断面形状を取得する位置の設定と、リムの溝に対する測定光束の照射位置の変更とは、同時に実施されるようにしてもよい。また、例えば、リムの溝の断面形状を取得する位置の設定は、回転ユニット２６０のみならず、Ｘ移動ユニット２４０、Ｙ移動ユニット２３０、Ｚ移動ユニット２２０の少なくともいずれかが用いられるようにしてもよい。また、リムの溝の断面形状を取得する位置の設定は、Ｘ移動ユニット２４０、Ｙ移動ユニット２３０、Ｚ移動ユニット２２０の少なくともいずれかで行われるようにしてもよい。また、例えば、リムの溝に対する測定光束の照射位置の変更は、Ｘ移動ユニット２４０、Ｙ移動ユニット２３０、Ｚ移動ユニット２２０の少なくともいずれかのみならず、回転ユニット２６０も用いられる構成としてもよい。また、例えば、リムの溝に対する測定光束の照射位置の変更は、回転ユニット２６０のみが用いられる構成としてもよい。
【０１３２】
例えば、光源３１の点灯により、眼鏡フレームＦのリムの溝はスリット光により光切断される。スリット光で光切断された眼鏡フレームＦのリムの溝からの反射光束は受光光学系３０ｂに向かい、検出器３７により受光される。例えば、制御部５０は、検出器３７によって受光された反射光束に基づいて、眼鏡フレームのリムの溝の二次元断面形状を取得する。なお、本実施例においては、断面形状として、断面画像を取得する。もちろん、断面形状は、信号として取得される構成であってもよい。
【０１３３】
ここで、眼鏡フレームＦのリムの溝に測定光束が照射されていない場合には、断面形状（本実施例では、断面画像）を取得することができない。このため、制御部５０は、眼鏡フレームＦのリムの溝に測定光束が照射されていない場合には、眼鏡フレームＦのリムの溝に測定光束を照射するための駆動制御を行う。以下、眼鏡フレームＦのリムの溝に測定光束を照射するための駆動制御について説明する。
【０１３４】
例えば、図１０は、眼鏡フレームＦのリムの溝に測定光束が照射されるように保持ユニット２５を移動させる前の受光結果を示す図である。例えば、図１１は、眼鏡フレームＦのリムの溝に測定光束が照射されるように保持ユニット２５を移動させた後の受光結果を示す図である。
【０１３５】
例えば、図１０において、投光光学系３０ａの照射位置Ｔ３がリムの溝に位置していない。このため、眼鏡フレームＦのリムの溝からの反射光束を受光することができない。例えば、反射光束を受光できていない状態で、制御部５０が断面画像を取得した場合に、取得結果を示す画像４０上には、断面画像が表示されない。一方、図１１において、投光光学系３０ａの照射位置Ｔ４がリムの溝に位置している。このため、眼鏡フレームＦのリムの溝からの反射光束を受光することできる。例えば、反射光束を受光できた状態で、制御部５０が断面画像を取得した場合に、取得結果を示す画像４０上には、断面画像４１が表示される。
【０１３６】
例えば、本実施例において、制御部５０は、眼鏡フレームＦのリムの溝に測定光束が照射されるように保持ユニット２５を移動させる際に、受光結果に基づいて、移動ユニット２１０を制御する。例えば、制御部５０は、断面画像が取得できているか否かに基づいて、移動ユニット２１０を制御する。例えば、制御部５０は、取得された画像４０を解析し、断面画像が検出できなかった場合に、断面画像が検出されるように、移動ユニット２１０を制御する。
【０１３７】
例えば、制御部５０は、輝度値の変化を検出することによって、断面画像が取得された否かを検出することができる。例えば、断面画像が取得されている場合には、一定の輝度値が検出される。すなわち、反射光束が検出器によって検出できるため、輝度値が上昇する。図１２は、輝度値の検出について説明する図である。例えば、制御部５０は、取得された断面画像に対して、走査線Ｓ１、走査線Ｓ２、走査線Ｓ３、・・・走査線Ｓｎの順に輝度値の検出を行い、輝度分布を得る。すなわち、制御部５０は、輝度値を検出することによって、画像上からリムの断面画像を抽出することができる。
【０１３８】
以上のようにして、所定の位置におけるリムの溝の断面画像を取得することができる。例えば、制御部５０は、回転ユニット２６０を制御し、回転軸（本実施例では、光源３１を通る軸）ＬＯを中心として、動径角を変更しながら、リムの溝の断面画像を取得する位置を変更していく。これによって、リムの断面画像を取得する位置がリムの周方向に移動されていく。例えば、制御部５０は、リムの断面画像を取得する位置が変更される毎に、移動ユニット２１０を制御し、測定光束がリムの溝に照射されるように照射位置の変更を行っていく。
【０１３９】
例えば、制御部５０は、各動径角において、リムの溝の断面画像が取得されていく際に、所定の回転角度毎に断面画像をメモリ５２に記憶させる。また、各断面画像を取得した位置を、モータ２２５のパルス数と、モータ２３５のパルス数と、モータ２４５のパルス数と、エンコーダ２６５ａの検出結果と、の少なくともいずれかから演算し、メモリ５２に記憶させる。すなわち、モータ２２５のパルス数と、モータ２３５のパルス数と、モータ２４５のパルス数と、エンコーダ２６５ａの検出結果と、の少なくともいずれかを取得することで、リムの断面画像が取得された位置を特定することができる。このようにして、例えば、制御部５０は、リムの溝の断層画像を取得した位置（取得位置情報）を取得することができる。例えば、取得位置情報は、リムの溝の三次元断面画像、眼鏡フレームの形状、等を取得する際に用いることができる。
【０１４０】
なお、例えば、各動径角において、リムの溝の断面画像を取得した場合に、断面画像に欠損部分が生じる場合がある。例えば、眼鏡フレームタイプによって、リムの溝から反射光束を良好に受光することができず、リムの溝の断面画像を取得することが困難となる場合がある。例えば、眼鏡フレームによって反射される光束の量が少ないこと、眼鏡フレームのリムの溝に測定光束が照射しづらい構造となっているため測定光束が遮られてしまうこと、等によって、リムの溝から反射光束を良好に受光することが困難となり、断面画像に欠損部分が生じる場合がある。また、例えば、眼鏡フレームに付着したごみ（例えば、埃、皮脂等）の影響によって、射光束を良好に受光することができず、リムの溝の断面画像を取得することが困難となる場合がある。
【０１４１】
このため、本実施例において、取得された断面画像において、欠損部分が存在した場合に、断面画像の欠損部分を補間することによって、良好な断面画像を取得する。以下、欠損部分の補間について説明する。
【０１４２】
なお、  例えば、眼鏡フレームタイプとしては、眼鏡フレームの形状、眼鏡フレームの材料、眼鏡フレームの色、眼鏡フレームのデザイン、等の少なくともいずれかが異なる眼鏡フレームが挙げられる。例えば、眼鏡フレームの形状としては、フルリム（Full lim）、ナイロール（Nylor）等のいずれかの形状であってもよい。もちろん、眼鏡フレームの形状としては、上記と異なる形状であってもよい。また、例えば、眼鏡フレームの材料としては、メタル（Metal）、プラスチック（Plastic）、オプチル(Optyl)等のいずれかであってもよい。もちろん、眼鏡フレームの材料としては、上記と異なる材料であってもよい。また、例えば、眼鏡フレームの色としては、赤、青、黄、黒、グレー等の少なくともいずれかであってもよい。もちろん、眼鏡フレームの色としては、上記と異なる色であってもよい。例えば、眼鏡フレームのデザインとしては、ドット、ボーダー等の少なくともいずれかであってもよい。もちろん、眼鏡フレームのデザインとしては、上記と異なるデザインであってもよい。なお、例えば、フルリムとしては、全体にリム（縁）があるタイプの眼鏡フレームが挙げられる。また、例えば、ナイロールとしては、一部分のリムがないタイプの眼鏡フレームが挙げられる。この場合、リムのない部分は、ナイロン糸などで眼鏡レンズが固定される。
【０１４３】
本実施例において、例えば、制御部５０は、リムの各測定位置において断面画像を取得するとともに、断面画像に欠損部分が存在しているか否かを判定する。断面画像に欠損部分が存在しているか否かを判定する場合、例えば、制御部５０は、断面画像の輝度分布を検出し、リムに対応する輝度の上昇が検出されたか否かに応じて、欠損部分の有無を判定する。
【０１４４】
図１３は、取得された画像４０の１つの走査線における輝度分布を示す例である。図１３Ａは、断面画像４１に欠損部分が存在していない状態の輝度分布を示す例である。図１３Ｂは、断面画像４１に欠損部分が存在している状態の輝度分布を示す例である。
【０１４５】
例えば、図１３に示されるように、例えば、図１３Ａに示されるように、リムの断面画像４１が存在している場合、得られた画像４０に対して走査線Ｓ１０で得られた輝度分布Ｄ１には、リムに対応するピークＰが見られる。しかしながら、図１３Ｂに示されるように、リムの断面画像４１が消失している場合、得られた画像４０に対して走査線Ｓ１０で得られた輝度分布Ｄ２には、リムに対応するピーク見られない。
【０１４６】
なお、上記リムの有無に関する判定処理において、例えば、制御部５０は、画像４０に対する複数の走査線に関して判定処理を行う。例えば、判定処理を行う場合、画像４０のほぼ全ての走査線において判定処理が行われるようにしてもよい。また、例えば、判定処理を行う場合、画像４０上において、一定間隔で離間した走査線において判定処理が行われるようにしてもよい。また、例えば、判定処理を行う場合、画像４０上において、予め設定された走査線に関して判定処理が行われるようにしてもよい。なお、予め設定された走査線は、検者によって任意に設定されるようにしてもよい。
【０１４７】
例えば、リムに対応するピークＰが検出されたか否かを判定する場合、制御部５０は、走査線において取得された輝度分布において、予め設定された閾値を超える輝度値が存在するか否かを判定するようにしてもよい。例えば、制御部５０は、走査線において検出された輝度分布において、閾値を超えている輝度値が存在する場合には、リムに対応するピークが検出されたとして、欠損部分は存在しないとして判定する。また、例えば、制御部５０は、走査線において検出された輝度分布において、閾値を超える輝度値が存在しない場合には、リムに対応するピークが検出されていないとして、欠損部分が存在すると判定する。
【０１４８】
なお、複数の走査線におけるピークの検出結果に基づいて、欠損部分が存在するか否かが判定されるようにしてもよい。一例として、例えば、制御部５０は、少なくとも２つ以上の走査線において、リムに対応するピークが検出されていない場合に、欠損部分が存在すると判定してもよい。この場合、例えば、制御部５０は、少なくとも２つ以上の連続する（隣接する）走査線において、リムに対応するピークが検出されていない場合に、欠損部分が存在すると判定してもよい。もちろん、少なくとも２つ以上の走査線が連続していなくてもよい。
【０１４９】
本実施例において、図１２に示されるように、例えば、制御部５０は、取得された画像４０に対して、走査線Ｓ１、走査線Ｓ２、走査線Ｓ３、・・・走査線Ｓｎの順に輝度値の検出を行い、輝度分布を得る。例えば、制御部５０は、得られた輝度分布において、欠損部分が存在するか否を判定する。本実施例において、例えば、制御部５０は、各走査線において、それぞれ欠損部分が存在するか否かを判定し、少なくとも連続する２つ以上の走査線において欠損部分が存在すると判定された場合に、最終的に画像４０（画像４０における断面画像４１）に欠損部分が存在すると判定する。
【０１５０】
例えば、制御部５０は、取得された断面画像において、欠損部分が存在すると判定した場合に、欠損部分の補間を行う。図１４は、欠損部分の補間について説明する図である。本実施例において、例えば、制御部５０は、各測定位置において、断面画像の取得を行っていき、断面画像が取得される毎に判定処理を行う。もちろん、各測定位置での測定が完了した後に、判定処理が行われるようにしてもよい。
【０１５１】
本実施例において、例えば、制御部５０は、欠損部分が存在する断面画像（第１断面画像）と異なる断面画像（第２断面画像）に基づいて、欠損部分が存在する断面画像の欠損部分を補間する。すなわち、例えば、制御部５０は、欠損部分が存在する第１断面画像と異なる第２断面画像に基づいて、欠損部分が存在する断面画像の欠損部分を補間する。本実施例において、異なる断面画像は、欠損部分が存在する断面画像と同一の測定位置にて撮影条件を変更して取得される。例えば、制御部５０は、欠損部分が存在すると判定した測定位置と、同一の測定位置において、撮影条件を変更して、再度測定を行う。なお、本実施例においては、リムからの反射光束が少ないために欠損部分が生じている場合を例に挙げて説明する。本実施例において、例えば、制御部５０は、欠損部分が存在すると判定した測定位置において、再度、断面画像を取得する。例えば、制御部５０は、光源３１の投光光量を増加させる。
【０１５２】
図１４（ａ）は、光源３１の投光光量が増加させる前に取得された断面画像４６を示す例である。図１４（ｂ）は、光源３１の投光光量を増加させた後に取得された断面画像４７を示す例である。図１４（ｃ）は、欠損部分が補間された後の断面画像４８を示す例である。例えば、図１４（ａ）に示されるように、光源３１の投光光量が増加させる前に取得された断面画像４６には、欠損部分Ｇが存在している。
【０１５３】
例えば、制御部５０は、光源３１の投光光量を増加させた後、欠損部分が存在すると判定された断面画像４６を含む画像４０ａを取得した測定位置と同一の測定位置において、再測定を行う。例えば、光源３１の投光光量を増加させたことによって、リムからの反射光束をより多く受光することができる。すなわち、光源３１の投光光量を増加させたことによって、輝度レベルが高くなり欠損部分Ｇの断面画像４４を取得することができる。これによって、図１４（ｂ）に示されるように、図１４（ａ）のリムの断面画像４６の欠損部分Ｇにおけるリムの断面画像４４が含まれるリムの断面画像４７を取得することができる。
【０１５４】
なお、図１４（ｂ）に示されるように、光源３１の投光光量を増加させたことによって、断面画像４７において、光源３１の投光光量を増加させる前から欠損をしていなかったリムの部位（例えば、リムの肩４２、リムの外形部４３）についても、輝度レベルが高くなる（図１４（ｂ）太線部）。これによって、光源３１の投光光量を増加させる前から欠損をしていなかったリムの部位の断面画像は、より高い輝度レベルで取得されることになり、眼鏡フレームのリムの形状が検出しづらくなることがある。例えば、断面画像４６の良好な断面画像部分（例えば、リムの肩及びリムの外形部の断面画像）と、断面画像４７における良好な断面画像部分（例えば、欠損部分に対応する断面画像４４）と、を合成処理することによって、欠損部分の補間を行う。これによって、断面画像４６と断面画像４７における良好な断面画像部分を用いた新たな断面画像４８を取得することができ、良好な断面画像４８を取得することができる。
【０１５５】
なお、光源３１の投光光量を増加させて再測定を行った場合であっても、欠損部分の断面画像を取得することができない場合がある。この場合、例えば、以下の制御を行うようにしてもよい。例えば、制御部５０は、光源３１の投光光量を増加させた後、同一の測定位置において、再測定を行い、新たに取得された画像について、リムの断面画像に欠損部分が存在するか否かを判定するようにしてもよい。例えば、制御部５０は、新たに取得された画像におけるリムの断面画像に欠損部分が存在しないと判定した場合に、次の測定位置の測定へと移行させるようにしてもよい。また、例えば、制御部５０は、再度、取得された画像について、リムの断面画像に欠損部分が存在するか否かを判定し、欠損部分が存在すると判定した場合に、さらに、光源３１の投光光量を増加させるようにしても。もちろん、光源３１の制御とは異なる撮影条件を変更するようにしてもよい。例えば、制御部５０は、さらに、光源３１の投光光量を増加させた後、再度、同一の測定位置において、新たなリムの断面画像の取得を行うようにしてもよい。例えば、制御部５０は、欠損部分が存在しないリムの断面画像が取得されるまで、上記制御を繰りかえすようにしてもよい。
【０１５６】
例えば、制御部５０は、欠損部分Ｇが存在しないリムの断面画像４４を含む画像４０ｂが取得された後、欠損部分Ｇが存在しない断面画像４４を含む画像４０ｂに基づいて、欠損部分Ｇが存在する断面画像４１を含む画像４０ａの補間を行う。例えば、制御部５０は、画像４０ｂから欠損部分Ｇの位置に対応する断面画像４４を抽出する。例えば、制御部５０は、画像４０ａの輝度分布に基づいて、欠損部位Ｇの位置を取得しておく。例えば、欠損部位Ｇの位置は、各走査線の輝度分布からリムの断面画像が取得されている部分が途切れている位置Ｇ１，Ｇ２を取得するようにしてもよい。
【０１５７】
例えば、制御部５０は、欠損部位Ｇの位置に対応する領域における断面画像４４を画像４０ｂから抽出する。例えば、制御部５０は抽出した断面画像４４を断面画像４６の欠損部分Ｇに合成処理する。これによって、欠損部分Ｇが補間された断面画像４８を含む画像４０ｃを取得することができる。なお、合成処理を行う場合に、画像４０ａと画像４０ｂは同一の測定位置において取得された画像であるため、pixel-to-pixelの関係で両画像を対応付けできる。
【０１５８】
このように、例えば、眼鏡枠形状測定装置は、取得手段によって取得された断面形状におけるリムの欠損部分を補間する補間手段を備える。これによって、例えば、眼鏡フレームのタイプ、眼鏡フレームに付着したごみ等によって、リムの溝から反射光束を良好に受光することが困難であり、取得した断面形状に欠損部分が生じていた場合であっても、欠損部分を補間することで、良好な断面形状を取得することができる。すなわち、例えば、種々のタイプの眼鏡フレームにおけるリムの断面形状を良好に取得することができる。
【０１５９】
また、例えば、取得手段は、断面形状とは異なる断面形状を取得してもよい。また、例えば、補間手段は、断面形状とは異なる断面形状に基づいて、断面形状におけるリムの欠損部分を補間するようにしてもよい。これによって、例えば、他の断面形状に基づく補間を行うことができるため、欠損部分を実際の断面形状又は実際の断面形状に近い形状で補間することができる。このため、より精度よく補間を行うことができ、良好な断面形状を取得することができる。
【０１６０】
また、例えば、補間手段は、断面形状に対して、異なる断面形状を合成処理することによって、断面形状におけるリムの欠損部分を補間するようにしてもよい。例えば、合成処理によって断面形状の補間を行うことができるため、複雑な演算処理等を必要とせず、容易に良好な断面形状を取得することができる。
【０１６１】
また、例えば、異なる断面形状は、断面形状を取得した測定位置と同一の測定位置において、断面形状を取得した際の撮影条件とは異なる撮影条件にて取得された断面形状であってもよい。例えば、異なる撮影条件で断面形状を取得することによって、欠損部分の断面形状を良好に取得することが可能となる。これによって、欠損部分の断面形状に基づいて、欠損部分が生じている断面形状の補間を行うことができるため、断面形状をより精度よく補間することができる。
【０１６２】
また、例えば、眼鏡枠形状測定装置は、断面形状を解析処理することによって、断面形状における欠損部分が存在する否かを判定する欠損部分判定手段を備えてもよい。例えば、補間手段は、欠損部分判定手段による判定結果に基づいて、断面形状におけるリムの欠損部分を補間するようにしてもよい。例えば、判定処理を行うことで、断面形状における欠損部分をより精度よく特定することができる。このため、断面形状における欠損部分をより確実に補間することができ、容易に良好な断面形状を取得することができる。
【０１６３】
また、例えば、補間手段は、断面形状におけるリムの溝の欠損部分を少なくとも補間するようにしてもよい。例えば、断面形状において、リムの溝部分における断面形状をより確実に取得することができ、良好な断面形状を取得することができる。特に、リムの溝部分の断面形状を良好に取得することがより好ましいため、有用となる。
【０１６４】
例えば、制御部５０は、上記のようにして取得された断面画像を解析処理することによって、リムの溝に関する種々のパラメータを取得することができる。図１５は、リムの溝の断面画像から取得されるパラメータについて説明する図である。例えば、制御部５０は、画像処理によって、断面画像の輝度分布を取得することで、リムの溝のパラメータを取得することができる。例えば、制御部５０は、リムの溝のパラメータとして、リムの溝の底までの距離Ｋ１、リムの溝の左右の斜面角度θ１，θ２、リムの溝の左右の斜面長さＫ２，Ｋ３、左右のリム肩の長さＫ４，Ｋ５、等を得ることができる。
【０１６５】
例えば、制御部５０は、リムの全周に亘って、上記制御を繰り返していくことによって、リムの全周におけるリムの溝の断面画像を取得することができる。例えば、リム全周におけるリムの溝の断面画像の取得が完了すると、制御部５０は、メモリ５２に記憶したリム全周の断面画像とその取得位置情報を呼び出し、演算処理を行って、三次元断面画像を取得する。すなわち、制御部５０は、補間された断面画像と、補間されていない断面画像と、を用いて、三次元断面画像を取得する。例えば、制御部５０は、取得した三次元断面画像を、メモリ５２に記憶させる。なお、本実施例においては、リム全周における断面画像の取得が完了した後に三次元断面画像を取得する構成を例に挙げて説明したがこれに限定されない。リムの溝の断面画像の各取得位置にといて、断面画像を取得する毎に、演算処理を行っていく構成であってもよい。
【０１６６】
なお、例えば、制御部５０は、取得した断面画像から眼鏡フレームの形状（形状データ）を取得することができる。例えば、制御部５０は、眼鏡フレームの複数の動径角におけるリムの溝の断面画像から眼鏡フレームの複数の動径角におけるリムの溝の底をそれぞれ検出し、検出した検出結果に基づいて、眼鏡フレームの形状を取得する。
【０１６７】
例えば、制御部５０は、画像処理によって、断面画像の輝度分布を取得することで、リムの溝の底の位置を検出する。図１２に示されるように、例えば、制御部５０は、取得された断面画像に対して、走査線Ｓ１、走査線Ｓ２、走査線Ｓ３、・・・走査線Ｓｎの順に輝度値の検出を行い、輝度分布を得る。例えば、制御部５０は、得られた輝度分布において、もっとも下側の位置で輝度値の検出がされた位置をリムの溝の底として検出してもよい。
【０１６８】
例えば、制御部５０は、各動径角毎に取得された断面画像をそれぞれ処理して、画像上におけるリムの溝の底の位置をそれぞれ検出する。例えば、制御部５０は、断面画像から検出された画像上におけるリムの溝の底の位置と、その断面画像を取得した取得位置情報と、からリムの溝の底の位置情報を取得する。例えば、制御部５０は、各動径角毎においてそれぞれ取得された断面画像から画像上におけるリムの溝の底の位置を検出し、検出された画像上におけるリムの溝の底の位置と、その断面画像を取得した取得位置情報と、から各動径角毎のリムの溝の底の位置情報をそれぞれ取得する。これによって、例えば、制御部５０は、眼鏡フレームＦの三次元形状（ｒｎ，ｚｎ，θｎ）（ｎ＝１，２，３、・・・，Ｎ）を取得する。例えば、眼鏡フレームＦｎの三次元形状は、リムの全周に亘って取得されてもよいし、リムの全周の内、一部の領域において、取得されてもよい。以上のようにして、眼鏡フレームＦの形状を取得することができる。
【０１６９】
なお、本実施例においては、各動径角毎にリムの溝の底の位置情報を取得することによって、眼鏡フレームの三次元形状を取得する構成を例に挙げて説明したがこれに限定されない。例えば、眼鏡フレームの三次元形状を取得する際に、各動径角において、リムの溝の底の位置情報を取得していない位置については、周辺の動径角におけるリムの溝の底の位置情報に基づいて、補間することで、リムの溝の底の位置情報を取得するようにしてもよい。また、例えば、眼鏡フレームの三次元形状を取得する際に、各動径角において、リムの溝の底の位置情報を取得していない位置については、周辺の動径角におけるリムの溝の底の位置情報の近似の結果から補間するようにしてもよい。
【０１７０】
例えば、制御部５０は、右リムＦＲの測定が終了すると、Ｘ移動ユニット２４０の駆動を制御し、左リムＦＬの測定用の所定位置に保持ユニット２５を移動させる。上記の測定制御と同様にして、右リムＦＲの断面形状の取得と、眼鏡フレームの形状を取得する。右リムＦＲ及び左リムＦＬの断面画像と形状は、メモリ５２に記憶される。
【０１７１】
なお、例えば、取得した眼鏡フレームの三次元形状に基づいて各種パラメータを取得してもよい。例えば、眼鏡フレームの三次元形状から二次元形状を取得するようにしてもよい。例えば、二次元形状は、三次元形状を眼鏡フレームＦの正面方向のＸＹ平面に投影した形状することによって取得することができる。なお、二次元形状は、三次元形状から取得する構成を例に挙げたがこれに限定されない。各動径角におけるリムの断面画像に基づいて、リムの溝の底の位置情報を取得する際に、ＸＹ平面上におけるリムの溝の底の位置情報のみを検出するようにすることで、取得するようにしてもよい。
【０１７２】
以上のようにして、眼鏡枠形状測定装置１によって取得されたリムの溝の断面形状、眼鏡フレームの形状、等は、制御部５０によって、レンズ加工装置３００に送信される。例えば、レンズ加工装置３００の制御部３１０は、眼鏡枠形状測定装置１によって取得されたリムの溝の断面形状、眼鏡フレームの形状、等を受信する。
【０１７３】
例えば、レンズ加工装置３００としては、レンズをレンズチャック軸に保持して回転するレンズ回転手段と、加工具回転軸に取り付けられた加工具を回転する加工具回転手段と、を備える。例えば、レンズ加工装置３００において、レンズ加工装置の制御部３１０は、眼鏡枠形状測定装置１によって取得された取得情報（例えば、眼鏡フレームのリムの溝の断面形状、眼鏡フレームの形状、等）に基づいて、レンズ回転手段と加工具回転手段を制御して、レンズの周縁加工を行う。なお、レンズ加工装置の制御部３１０としては、眼鏡枠形状測定装置１の制御部が兼用される構成であってもよいし、別途、レンズ加工装置の各種制御を行うための制御部３１０が設けられる構成であってもよい。
【０１７４】
例えば、本実施例において、眼鏡枠形状測定装置は、眼鏡フレームのリムに向けて光源から測定光束を照射する投光光学系と、投光光学系によって眼鏡フレームのリムに向けて照射され、眼鏡フレームのリムによって反射された測定光束の反射光束を検出器によって受光する受光光学系と、検出器によって受光された反射光束に基づいて眼鏡フレームのリムの断面形状を取得する取得手段と、を備える。これによって、例えば、眼鏡フレームのリムの断面形状を容易に精度よく取得することができる。また、例えば、測定光束による測定であるため、迅速に測定を行うことができる。
【０１７５】
また、例えば、本実施例において、眼鏡枠形状測定装置は、眼鏡フレームのリムの溝に対する測定光束の照射位置を変更する第１変更手段と、第１変更手段を制御する第１制御手段と、を備える。これによって、眼鏡フレームにおける任意のリムの溝の位置へ測定光束を照射することが可能となり、任意の位置におけるリムの溝の断面形状を取得することができる。
【０１７６】
また、例えば、本実施例において、眼鏡枠形状測定装置は、第１変更手段が投光光学系の少なくとも一部の位置を移動させる変更手段であって、第１制御手段は、第１変更手段を制御することによって、眼鏡フレームのリムの溝に対して投光光学系の少なくとも一部の位置を変更させ、眼鏡フレームのリムの溝に対する測定光束の照射位置を変更する。これによって、眼鏡フレームにおける任意のリムの溝の位置へ測定光束を照射することが可能となり、任意の位置におけるリムの溝の断面形状を取得することができる。
【０１７７】
また、例えば、本実施例において、眼鏡枠形状測定装置は、受光光学系による反射光束の受光位置を変更する第２変更手段と、第２変更手段を制御する第２制御手段と、を備える。これによって、リムの溝の断面形状を良好に取得することができる位置に受光位置を変更することができ、眼鏡フレームのリムの断面形状をより精度よく取得することができる。
【０１７８】
また、例えば、本実施例において、眼鏡枠形状測定装置は、第１制御手段が第１変更手段を制御して、眼鏡フレームの複数の動径角におけるリムの溝に対して測定光束を照射する。取得手段は、眼鏡フレームの複数の動径角におけるリムの溝の断面形状をそれぞれ取得する。眼鏡枠形状測定装置は、眼鏡フレームの複数の動径角におけるリムの溝の断面形状から眼鏡フレームの複数の動径角におけるリムの溝の底をそれぞれ検出し、検出した検出結果に基づいて、眼鏡フレームの形状を取得する解析手段を備える。これによって、従来のように、眼鏡フレームによっては、測定子がレンズ枠の溝から外れてしまい測定できないことを抑制することができ、種々の形状の眼鏡フレームに対して、容易に精度よく眼鏡フレームの形状を取得することできる。
【０１７９】
また、例えば、本実施例において、眼鏡枠形状測定装置は、第１制御手段が第１変更手段を制御して、眼鏡フレームの複数の動径角におけるリムの溝に対して測定光束を照射する。取得手段は、眼鏡フレームの複数の動径角におけるリムの溝の断面形状をそれぞれ取得し、三次元断面形状を取得する。これによって、容易に精度よく眼鏡フレームの三次元断面形状を取得することできる。
【０１８０】
また、例えば、本実施例において、レンズ加工装置は、眼鏡フレームのリムの溝の断面形状に基づいてレンズの周縁を加工する加工制御手段を備える。これによって、眼鏡フレームに加工後のレンズを良好に枠入れする際に、リムの溝の形状と加工後のレンズの輪郭形状が近い形状となるため、枠入れを良好に行うことができる。
【０１８１】
なお、本実施例において、断面形状と、眼鏡フレームの形状との少なくともいずれかは、にディスプレイ３上に表示されるようにしてもよい。もちろん、レンズ加工装置３００の図示無きディスプレイに表示されるようにしてもよい。例えば、断面形状と、眼鏡フレームの形状とは、ディスプレイ３上において、異なる画面にて表示されるようにしてもよい。この場合、画面が切り換えられることによって、断面形状と、眼鏡フレームの形状と、が切り換え表示されるようにしてもよい。また、例えば、断面形状と、眼鏡フレームの形状とは、同一画面上に表示されるようにしてもよい。この場合、例えば、断面形状と、眼鏡フレームの形状とは、同一画面上に並べて配置されるようにしてもよい。このとき、例えば、眼鏡フレームの形状において、断面形状の取得位置が識別できるような断面形状の取得位置を示す表示をするようにしてもよい。また、この場合、例えば、断面形状と、眼鏡フレームの形状とが重畳表示されるようしてもよい。重畳表示をする場合、断面形状の取得位置情報と、リム溝の断面形状の取得位置と、に基づいて、断面形状と眼鏡フレームの形状とが位置合わせされるようにしてもよい。
【符号の説明】
【０１８２】
１  眼鏡枠形状測定装置
３  ディスプレイ
４  スイッチ部
１０  フレーム保持ユニット
２０  測定ユニット
２５  保持ユニット
３０  眼鏡フレーム測定光学系
３０ａ  投光光学系
３０ｂ  受光光学系
３１  光源
３７  検出器
５０  制御部
５２  メモリ
２１０  移動ユニット
２２０  Ｚ移動ユニット
２３０  Ｙ移動ユニット
２４０  Ｘ移動ユニット
２６０  回転ユニット
３００  レンズ加工装置
３１０  制御部
【図１】
2019049716.tif 000003
【図２】
2019049716.tif 000004
【図３】
2019049716.tif 000005
【図４】
2019049716.tif 000006
【図５】
2019049716.tif 000007
【図６】
2019049716.tif 000008
【図７】
2019049716.tif 000009
【図８】
2019049716.tif 000010
【図９Ａ】
2019049716.tif 000011
【図９Ｂ】
2019049716.tif 000012
【図１０】
2019049716.tif 000013
【図１１】
2019049716.tif 000014
【図１２】
2019049716.tif 000015
【図１３Ａ】
2019049716.tif 000016
【図１３Ｂ】
2019049716.tif 000017
【図１４】
2019049716.tif 000018
【図１５】
2019049716.tif 000019
【国際調査報告】
2019049716.tif 000020
2019049716.tif 000021
2019049716.tif 000022
2019049716.tif 000023